(57)【要約】本発明に係る液晶表示装置１０は、ＬＥＤ１７と、液晶パネル１１と、液晶パネル１１に対してその表示面１１ｃ側とは反対側に重なるように配されるとともに端面がＬＥＤ１７と対向状に配される導光板１６と、液晶パネル１１及び導光板１６を挟み込む形で保持するフレーム１３及びシャーシ１４を有し、これらフレーム１３及びシャーシ１４の間にＬＥＤ１７を収容してなる保持部材ＨＭと、フレーム１３及びシャーシ１４の外周側部分に取り付けられることでフレーム１３及びシャーシ１４を組み付け状態に固定するネジ部材ＳＭと、フレーム１３に設けられてシャーシ１４を挟んだ状態でネジ部材ＳＭが取り付けられるネジ取付部２１であって、フレーム１３の内面から突出するとともにフレーム１３における外周側部分の辺に沿って延在する形で配されるネジ取付部２１と、を備える。
2013047366.tif 000002
【特許請求の範囲】
【請求項１】
光源と、
前記光源の光を利用して表示を行う表示パネルと、
前記表示パネルに対してその表示面側とは反対側に重なるように配されるとともに端面が前記光源と対向状に配される導光板と、
前記表示パネル及び前記導光板を前記表示面側とその反対側とから挟み込む形で保持する一対の保持部を有し、これら前記一対の保持部の間に前記光源を収容してなる保持部材と、
前記一対の保持部における前記表示パネルを取り囲む外周側部分に取り付けられることで前記一対の保持部を組み付け状態に固定する固定部材と、
前記一対の保持部のうちの一方の保持部に設けられて他方の保持部を挟んだ状態で前記固定部材が取り付けられる固定部材取付部であって、前記一方の保持部の内面から突出するとともに前記一方の保持部における前記外周側部分の辺に沿って延在する形で配される固定部材取付部と、を備える表示装置。
【請求項２】
前記固定部材は、前記一対の保持部における前記外周側部分に対して前記表示パネルと前記導光板との重なり方向に沿って取り付けられている請求項１記載の表示装置。
【請求項３】
前記一方の保持部は、前記表示パネルに対して前記表示面側に、前記他方の保持部は、前記導光板に対して前記表示面側とは反対側にそれぞれ配されており、
前記固定部材は、前記一対の保持部における前記外周側部分に対して前記表示面側とは反対側から取り付けられている請求項２記載の表示装置。
【請求項４】
前記一対の保持部は、当該表示装置の外観を構成する外観部材とされる請求項１から請求項３のいずれか１項に記載の表示装置。
【請求項５】
前記一方の保持部は、前記表示パネルを前記表示面側から押さえるパネル押さえ部と、前記パネル押さえ部における前記外周側部分から前記表示面側とは反対側に向けて突出する側壁部とを有しており、
前記固定部材取付部には、前記光源が取り付けられるとともに、前記パネル押さえ部との間に隙間を有する形で前記側壁部が連ねられている請求項４記載の表示装置。
【請求項６】
前記固定部材取付部は、前記側壁部の内面から内向きに突出するとともに前記側壁部の内面との間に隙間を有しており、
前記他方の保持部には、前記固定部材取付部と前記側壁部の内面との間の隙間に挿入される位置決め部が設けられている請求項５記載の表示装置。
【請求項７】
前記光源が取り付けられる光源取付部と、前記光源取付部から前記他方の保持部における前記外周側部分の面に沿って延在するとともに前記他方の保持部における前記外周側部分と前記固定部材取付部との間に挟み込まれた状態で前記固定部材によって固定される放熱部とを有する光源取付部材が備えられている請求項５または請求項６記載の表示装置。
【請求項８】
前記一方の保持部は、前記表示パネルに対して前記表示面側に、前記他方の保持部は、前記導光板に対して前記表示面側とは反対側にそれぞれ配されており、
前記固定部材は、前記一対の保持部における前記外周側部分に対して前記表示面側とは反対側から取り付けられている請求項４から請求項７のいずれか１項に記載の表示装置。
【請求項９】
前記固定部材取付部は、前記一方の保持部における前記外周側部分の辺に沿ってその全長にわたって延在しつつその内面に連なる形で形成されている請求項１から請求項８のいずれか１項に記載の表示装置。
【請求項１０】
前記一方の保持部は、前記表示パネルに対して前記表示面側に配されるとともに前記表示パネルを取り囲むよう枠状をなすとともに、その各辺毎に分割された複数の分割保持部を組み付けてなるものとされており、
前記複数の分割保持部には、前記固定部材取付部がそれぞれ設けられるとともに隣り合う前記固定部材取付部同士が当接されている請求項９記載の表示装置。
【請求項１１】
前記光源が取り付けられる光源取付部材を備えており、
前記固定部材取付部には、前記他方の保持部における前記外周側部分と前記光源取付部材とを挟み込んだ状態で前記固定部材が取り付けられている請求項１から請求項１０のいずれか１項に記載の表示装置。
【請求項１２】
前記光源取付部材は、前記他方の保持部における前記外周側部分の面に沿って延在するとともに前記他方の保持部における前記外周側部分と前記固定部材取付部との間に挟み込まれた状態で前記固定部材によって固定される放熱部と、前記放熱部から前記表示パネルと前記導光板との重なり方向に沿って立ち上がるとともに前記光源が取り付けられる光源取付部とを有しており、
前記光源取付部は、前記一対の保持部における前記外周側部分の、互いに対向する内面に対してそれぞれ当接されている請求項１１記載の表示装置。
【請求項１３】
前記表示パネルの端部に接続されるフレキシブル基板と、前記フレキシブル基板における前記表示パネル側とは反対側に端部に接続されるプリント基板とが備えられており、
前記光源取付部材は、前記他方の保持部における前記外周側部分の面に沿って延在するとともに前記他方の保持部における前記外周側部分と前記固定部材取付部との間に挟み込まれた状態で前記固定部材によって固定される放熱部と、前記放熱部から前記表示パネルと前記導光板との重なり方向に沿って立ち上がるとともに前記光源が取り付けられる光源取付部とを有しており、
前記光源取付部は、前記固定部材取付部との間に前記プリント基板を収容可能な基板収容空間を有する形で配されている請求項１１または請求項１２記載の表示装置。
【請求項１４】
前記一対の保持部のうち、前記表示面側に配される保持部には、前記導光板における前記表示面側の面に当接される導光板支持部が設けられている請求項１から請求項１３のいずれか１項に記載の表示装置。
【請求項１５】
請求項１から請求項１４のいずれか１項に記載された表示装置を備えるテレビ受信装置。
【発明の詳細な説明】
【技術分野】
【０００１】
本発明は、表示装置及びテレビ受信装置に関する。
【背景技術】
【０００２】
例えば、液晶テレビなどの液晶表示装置は、その表示パネルである液晶パネルが自発光しないため、別途に照明装置としてバックライト装置を必要としており、その一例が下記特許文献１に記載されている。この種の液晶表示装置におけるバックライト装置は、その機構によって直下型とエッジライト型とに大別されているが、液晶表示装置の一層の薄型化を実現するには、エッジライト型のバックライト装置を用いるのが好ましいものとされる。
【先行技術文献】
【特許文献】
【０００３】
【特許文献１】特開２００５−１０７４９９号公報
【０００４】
（発明が解決しようとする課題）
上記した特許文献１に記載された液晶表示装置では、液晶パネルを表側のパネル押さえ部材と、裏側のパネル受け部材とによって挟み込む構造とした上で、パネル押さえ部材及びパネル受け部材を断面Ｌ字型としてこれらの側板を、バックライト装置を構成するシャーシの側板に対して側方から取り付けられるネジによって固定している。【０００５】
ところで、製造コストの削減やさらなる薄型化などの要請があった場合には、例えば裏側のパネル受け部材を廃止し、パネル押さえ部材とシャーシとの間で液晶パネル及び導光板をまとめて挟み込んで保持する構造を採ることが考えられる。ところが、パネル受け部材を廃止すると、パネル受け部材が存在しない分だけ全体的な強度が低くなるのに加え、パネル受け部材によって一定に維持されていた液晶パネルと導光板との重なり方向についての位置関係が不安定なものとなるため、表示品位に悪影響が及ぶことが懸念されるところであった。また、上記したようにネジを側方から取り付ける固定構造を採用したのでは、ネジによって液晶パネル及び導光板に直接的に保持力を付与することができず、十分な保持力を得られないおそれがあるのに加え、各部材の側板同士を重ね合わせる際の位置決めがし難くて作業性が芳しくないという問題もある。
【発明の概要】
【０００６】
本発明は上記のような事情に基づいて完成されたものであって、強度を向上させるとともに表示品位を高めることを目的とする。
【０００７】
（課題を解決するための手段）
本発明の表示装置は、光源と、前記光源の光を利用して表示を行う表示パネルと、前記表示パネルに対してその表示面側とは反対側に重なるように配されるとともに端面が前記光源と対向状に配される導光板と、前記表示パネル及び前記導光板を前記表示面側とその反対側とから挟み込む形で保持する一対の保持部を有し、これら前記一対の保持部の間に前記光源を収容してなる保持部材と、前記一対の保持部における前記表示パネルを取り囲む外周側部分に取り付けられることで前記一対の保持部を組み付け状態に固定する固定部材と、前記一対の保持部のうちの一方の保持部に設けられて他方の保持部を挟んだ状態で前記固定部材が取り付けられる固定部材取付部であって、前記一方の保持部の内面から突出するとともに前記一方の保持部における前記外周側部分の辺に沿って延在する形で配される固定部材取付部と、を備える。
【０００８】
このようにすれば、光源から発せられた光は、対向状をなす導光板の端面に入射してから表示パネルへ導かれるので、その光を利用して表示パネルに画像が表示される。表示パネル及び導光板は、互いに重なるように配された状態で保持部材が有する一対の保持部によって表示面側とその反対側とから挟み込まれる形で保持されており、従来のように表示パネルと導光板との間にパネル受け部材が介在する構成となっていない。従って、パネル受け部材が存在しない分だけ全体の強度が低くなっているのに加え、パネル受け部材によって一定に維持されていた液晶パネルと導光板との重なり方向についての位置関係が不安定なものとなるため、それにより表示品位に悪影響が及ぶことが懸念される。その点、上記した構成によれば、他方の保持部を挟んだ状態で固定部材が取り付けられる固定部材取付部は、一方の保持部の内面から突出するとともに一方の保持部における外周側部分の辺に沿って延在する形で配されているから、一方の保持部における強度を向上させることができ、全体の強度を高めることができる。これにより、一方の保持部に歪みなどが生じ難くなるので、他方の保持部との間で挟み込まれる表示パネル及び導光板に付与される保持力が向上し、表示パネル及び導光板の位置関係を安定したものとすることができ、もって表示品位を高いものとすることができる。
【０００９】
本発明の実施態様として、次の構成が好ましい。
（１）前記固定部材は、前記一対の保持部における前記外周側部分に対して前記表示パネルと前記導光板との重なり方向に沿って取り付けられている。このようにすれば、固定部材により一対の保持部を介して表示パネル及び導光板に対してその重なり方向から保持力を付与することができるから、表示パネルと導光板との重なり方向についての位置関係をより安定したものとすることができ、もって表示品位をより良好なものとすることができる。
【００１０】
（２）前記一方の保持部は、前記表示パネルに対して前記表示面側に、前記他方の保持部は、前記導光板に対して前記表示面側とは反対側にそれぞれ配されており、前記固定部材は、前記一対の保持部における前記外周側部分に対して前記表示面側とは反対側から取り付けられている。このようにすれば、表示面側に配される一方の保持部に対して表示パネル、導光板、表示面側とは反対側に配される他方の保持部の順で組み付けてから、固定部材を表示面側とは反対側から固定部材取付部に対して取り付ける、といった手順での製造が可能となるから、組付作業性及び生産性に優れる。
【００１１】
（３）前記一対の保持部は、当該表示装置の外観を構成する外観部材とされる。このように、一対の保持部を外観部材とすると、仮に外観部材として一対の保持部とは別途にキャビネットを用意した場合に比べると、キャビネットを有さない分だけより高い強度が必要とされるものの、固定部材取付部によって一方の保持部の強度を高めることで十分に対応することができる。しかも、上記のようなキャビネットを有さないことで、当該表示装置に係る製造コストの削減及び薄型化を図ることができる。
【００１２】
（４）前記一方の保持部は、前記表示パネルを前記表示面側から押さえるパネル押さえ部と、前記パネル押さえ部における前記外周側部分から前記表示面側とは反対側に向けて突出する側壁部とを有しており、前記固定部材取付部には、前記光源が取り付けられるとともに、前記パネル押さえ部との間に隙間を有する形で前記側壁部が連ねられている。このようにすれば、光源が点灯に伴って発熱したとき、その熱は、光源が取り付けられた固定部材取付部を介して固定部材取付部に連なる側壁部へと伝達されることで放熱が図られる。このとき、固定部材取付部とパネル押さえ部との間には隙間が有されているので、パネル押さえ部への伝熱が抑制されている。このパネル押さえ部は、表示パネルを表示面側から押さえつつも外観部材であるために外部に露出しているため、外部の物体が接触され易くなっているものの、上記のようにその温度上昇が抑制されることで、外部の物体が接触した場合にその物体に熱による悪影響が及ぶのを効果的に防ぐことができる。
【００１３】
（５）前記固定部材取付部は、前記側壁部の内面から内向きに突出するとともに前記側壁部の内面との間に隙間を有しており、前記他方の保持部には、前記固定部材取付部と前記側壁部の内面との間の隙間に挿入される位置決め部が設けられている。このようにすれば、他方の保持部を組み付ける際に、固定部材取付部と側壁部との間の隙間に位置決め部を挿入することで、他方の保持部を一方の保持部に対して位置決めすることができ、もって組付作業性に優れる。
【００１４】
（６）前記光源が取り付けられる光源取付部と、前記光源取付部から前記他方の保持部における前記外周側部分の面に沿って延在するとともに前記他方の保持部における前記外周側部分と前記固定部材取付部との間に挟み込まれた状態で前記固定部材によって固定される放熱部とを有する光源取付部材が備えられている。このようにすれば、光源は、光源取付部材を介して固定部材取付部に取り付けられている。点灯に伴って生じる光源からの熱は、光源が取り付けられた光源取付部から放熱部を介して固定部材取付部に連なる側壁部に加えて、他方の保持部における外周側部分にも伝達されることで放熱が図られるので、パネル押さえ部への伝熱を一層抑制することができる。
【００１５】
（７）前記一方の保持部は、前記表示パネルに対して前記表示面側に、前記他方の保持部は、前記導光板に対して前記表示面側とは反対側にそれぞれ配されており、前記固定部材は、前記一対の保持部における前記外周側部分に対して前記表示面側とは反対側から取り付けられている。このようにすれば、外観上、固定部材が表示面側からは視認され難くなり、それにより当該表示装置における外観を良好なものとすることができる。しかも、表示面側に配される一方の保持部に対して表示パネル、導光板、表示面側とは反対側に配される他方の保持部の順で組み付けてから、固定部材を表示面側とは反対側から固定部材取付部に対して取り付ける、といった手順での製造が可能となるから、組付作業性及び生産性に優れる。
【００１６】
（８）前記固定部材取付部は、前記一方の保持部における前記外周側部分の辺に沿ってその全長にわたって延在しつつその内面に連なる形で形成されている。このようにすれば、一方の保持部における強度をより向上させることができる。
【００１７】
（９）前記一方の保持部は、前記表示パネルに対して前記表示面側に配されるとともに前記表示パネルを取り囲むよう枠状をなすとともに、その各辺毎に分割された複数の分割保持部を組み付けてなるものとされており、前記複数の分割保持部には、前記固定部材取付部がそれぞれ設けられるとともに隣り合う前記固定部材取付部同士が当接されている。このようにすれば、枠状をなす一方の保持部を、各辺毎に複数の分割保持部に分割し、各分割保持部に固定部材取付部をそれぞれ設けるようにしているから、複雑な形状となる一方の保持部を容易に製造することができる。しかも、隣り合う固定部材取付部同士が当接されることで、一方の保持部の強度をより向上させることができる。
【００１８】
（１０）前記光源が取り付けられる光源取付部材を備えており、前記固定部材取付部には、前記他方の保持部における前記外周側部分と前記光源取付部材とを挟み込んだ状態で前記固定部材が取り付けられている。このようにすれば、固定部材によって一対の保持部を組み付け状態に固定するとともに光源取付部材をも固定することができる。
【００１９】
（１１）前記光源取付部材は、前記他方の保持部における前記外周側部分の面に沿って延在するとともに前記他方の保持部における前記外周側部分と前記固定部材取付部との間に挟み込まれた状態で前記固定部材によって固定される放熱部と、前記放熱部から前記表示パネルと前記導光板との重なり方向に沿って立ち上がるとともに前記光源が取り付けられる光源取付部とを有しており、前記光源取付部は、前記一対の保持部における前記外周側部分の、互いに対向する内面に対してそれぞれ当接されている。このようにすれば、光源取付部材における光源取付部が、一対の保持部における外周側部分の、互いに対向する内面に対してそれぞれ当接されることで、一対の保持部の強度をより向上させることができる。また、光源が点灯に伴って発熱したとき、その熱は、主に光源取付部及び放熱部を介して他方の保持部と固定部材取付部とに伝達されることで放熱が図られる。
【００２０】
（１２）前記表示パネルの端部に接続されるフレキシブル基板と、前記フレキシブル基板における前記表示パネル側とは反対側に端部に接続されるプリント基板とが備えられており、前記光源取付部材は、前記他方の保持部における前記外周側部分の面に沿って延在するとともに前記他方の保持部における前記外周側部分と前記固定部材取付部との間に挟み込まれた状態で前記固定部材によって固定される放熱部と、前記放熱部から前記表示パネルと前記導光板との重なり方向に沿って立ち上がるとともに前記光源が取り付けられる光源取付部とを有しており、前記光源取付部は、前記固定部材取付部との間に前記プリント基板を収容可能な基板収容空間を有する形で配されている。このようにすれば、フレキシブル基板に接続されたプリント基板を、光源取付部と固定部材取付部との間に有される基板収容空間内に収容することができる。また、光源が点灯に伴って発熱したとき、その熱は、主に光源取付部及び放熱部を介して他方の保持部と固定部材取付部とに伝達されることで放熱が図られる。
【００２１】
（１３）前記一対の保持部のうち、前記表示面側に配される保持部には、前記導光板における前記表示面側の面に当接される導光板支持部が設けられている。このようにすれば、導光板を導光板支持部によって表示パネル側から支持することで、導光板をより安定的に保持することができ、光源に対する位置関係を安定化させることができる。
【００２２】
（発明の効果）
本発明によれば、強度を向上させるとともに表示品位を高めることができる。
【図面の簡単な説明】
【００２３】
【図１】本発明の実施形態１に係るテレビ受信装置及び液晶表示装置の概略構成を示す分解斜視図
【図２】テレビ受信装置及び液晶表示装置の背面図
【図３】液晶表示装置をなす液晶表示ユニットの概略構成を示す分解斜視図
【図４】液晶表示装置の短辺方向に沿った断面構成を示す断面図
【図５】液晶表示装置の長辺方向に沿った断面構成を示す断面図
【図６】液晶表示装置の短辺方向に沿った断面構成を示すものであって、フレキシブル基板（共締め用ネジ挿通孔）を切断した拡大断面図
【図７】液晶表示装置の短辺方向に沿った断面構成を示すものであって、導光板支持部（放熱部材用ネジ挿通孔）を切断した拡大断面図
【図８】図５の拡大断面図
【図９】フレームの背面図
【図１０】フレームにおける角部付近の拡大背面図
【図１１】液晶表示装置の短辺方向に沿った断面構成を示すものであって、液晶表示装置をなす液晶表示ユニットの各構成部品を組み付ける作業手順を示す断面図
【図１２】液晶表示装置の長辺方向に沿った断面構成を示すものであって、液晶表示装置をなす液晶表示ユニットの各構成部品を組み付ける作業手順を示す断面図
【図１３】本発明の実施形態２に係るネジ取付部及びフレームの断面構成を示す断面図
【図１４】本発明の実施形態３に係る液晶表示装置の長辺方向に沿った断面構成を示す断面図
【図１５】液晶表示装置の短辺方向に沿った断面構成を示す断面図
【図１６】本発明の実施形態４に係るネジ取付部及びフレームの断面構成を示す断面図
【図１７】本発明の実施形態５に係るネジ取付部及びフレームの断面構成を示す断面図
【図１８】本発明の実施形態６に係るネジ取付部及びフレームの断面構成を示す断面図
【発明を実施するための形態】
【００２４】
＜実施形態１＞
本発明の実施形態１を図１から図１２によって説明する。本実施形態では、液晶表示装置１０について例示する。なお、各図面の一部にはＸ軸、Ｙ軸及びＺ軸を示しており、各軸方向が各図面で示した方向となるように描かれている。また、図４に示す上側を表側とし、同図下側を裏側とする。
【００２５】
本実施形態に係るテレビ受信装置ＴＶは、図１に示すように、液晶表示ユニット（表示ユニット）ＬＤＵと、液晶表示ユニットＬＤＵの裏面側（背面側）に取り付けられる各種基板ＰＷＢ，ＭＢ，ＣＴＢと、液晶表示ユニットＬＤＵの裏面側に各種基板ＰＷＢ，ＭＢ，ＣＴＢを覆う形で取り付けられるカバー部材ＣＶと、スタンドＳＴとを備えてなり、スタンドＳＴによって液晶表示ユニットＬＤＵの表示面を鉛直方向（Ｙ軸方向）に沿わせた状態で支持されている。本実施形態に係る液晶表示装置１０は、上記した構成のテレビ受信装置ＴＶから、少なくともテレビ信号を受信するための構成（メイン基板ＭＢのチューナー部など）を除いたものである。液晶表示ユニットＬＤＵは、図３に示すように、全体として横長の方形（矩形状、長手状）をなしており、表示パネルである液晶パネル１１と、外部光源であるバックライト装置（照明装置）１２とを備え、これらが液晶表示装置１０の外観を構成する外観部材であるフレーム（表示面１１ｃ側に配される保持部、一方の保持部）１３及びシャーシ（表示面１１ｃ側とは反対側に配される保持部、他方の保持部）１４によって一体的に保持された構成となっている。これらフレーム１３及びシャーシ１４が保持部材ＨＭを構成していると言える。なお、本実施形態に係るシャーシ１４は、外観部材及び保持部材ＨＭの一部を構成するとともにバックライト装置１２の一部を構成している。
【００２６】
先に、液晶表示装置１０における裏面側の構成について説明する。液晶表示装置１０における裏側の外観を構成するシャーシ１４の裏面には、図２に示すように、Ｙ軸方向に沿って延在する形態のスタンド取付部材ＳＴＡがＸ軸方向に離間した２位置に一対取り付けられている。これらスタンド取付部材ＳＴＡは、断面形状がシャーシ１４側の面が開口した略チャンネル型をなしており、シャーシ１４との間に保有される空間内にスタンドＳＴにおける一対の支柱部ＳＴｂが差し込まれるようになっている。なお、スタンド取付部材ＳＴＡ内の空間には、バックライト装置１２が有するＬＥＤ基板１８に接続された配線部材（電線など）を通すことが可能とされる。スタンドＳＴは、Ｘ軸方向及びＺ軸方向に並行する台座部ＳＴａと、台座部ＳＴａからＹ軸方向に沿って立ち上がる一対の支柱部ＳＴｂとからなる。カバー部材ＣＶは、合成樹脂製とされており、一対のスタンド取付部材ＳＴＡをＸ軸方向について横切りつつもシャーシ１４の裏面における一部、具体的には図２に示す下側約半分程度を覆う形で取り付けられている。このカバー部材ＣＶとシャーシ１４との間には、次述する各種基板ＰＷＢ，ＭＢ，ＣＴＢなどの部品を収容可能な部品収容空間が保有されている。
【００２７】
各種基板ＰＷＢ，ＭＢ，ＣＴＢには、図２に示すように、電源基板ＰＷＢ、メイン基板ＭＢ及びコントロール基板ＣＴＢが含まれている。電源基板ＰＷＢは、当該液晶表示装置１０の電力供給源とも言えるものであり、他の各基板ＭＢ，ＣＴＢ及びバックライト装置１２が有するＬＥＤ１７などに駆動電力を供給することが可能とされる。従って、電源基板ＰＷＢが「ＬＥＤ１７を駆動するＬＥＤ駆動基板（光源駆動基板）」を兼用していると言える。メイン基板ＭＢは、テレビ信号を受信可能なチューナー部と、受信したテレビ信号を画像処理する画像処理部（チューナー部共々図示せず）とを少なくとも有しており、処理した画像信号を次述するコントロール基板ＣＴＢへと出力可能とされる。なお、このメイン基板ＭＢは、当該液晶表示装置１０が図示しない外部の画像再生機器に接続されたときには、その画像再生機器からの画像信号が入力されるので、その画像信号を画像処理部にて処理してコントロール基板ＣＴＢへと出力可能とされる。コントロール基板ＣＴＢは、メイン基板ＭＢから入力される画像信号を液晶駆動用の信号に変換し、その変換した液晶駆動用の信号を液晶パネル１１に供給する機能を有する。
【００２８】
液晶表示装置１０を構成する液晶表示ユニットＬＤＵは、図３に示すように、その主要な構成部品が、表側の外観を構成するフレーム（フロントフレーム）１３と、裏側の外観を構成するシャーシ（リアシャーシ）１４との間に保有される空間内に収容されてなるものとされる。フレーム１３及びシャーシ１４内に収容される主要な構成部品には、少なくとも、液晶パネル１１、光学部材１５、導光板１６及びＬＥＤユニット（光源ユニット）ＬＵが含まれている。このうち、液晶パネル１１、光学部材１５及び導光板１６は、相互に積層された状態で、その表側のフレーム１３と裏側のシャーシ１４とによって挟み込まれる形で保持されるようになっている。バックライト装置１２は、光学部材１５、導光板１６、ＬＥＤユニットＬＵ及びシャーシ１４からなるものとされ、上記した液晶表示ユニットＬＤＵから液晶パネル１１及びフレーム１３を除いた構成とされる。バックライト装置１２をなすＬＥＤユニットＬＵは、フレーム１３及びシャーシ１４内において、導光板１６をその短辺方向（Ｙ軸方向）の両側方から挟み込む形で対をなすものが、導光板１６の長辺方向（Ｘ軸方向）について２組並んで配され、合計４つ設置されている。ＬＥＤユニットＬＵは、光源であるＬＥＤ１７と、ＬＥＤ１７が実装されるＬＥＤ基板（光源基板）１８と、ＬＥＤ基板１８が取り付けられる放熱部材（ヒートスプレッダ、光源取付部材）１９とからなる。以下、各構成部品について説明する。
【００２９】
液晶パネル１１は、図３に示すように、平面に視て横長の方形（矩形状、長手状）をなしており、透光性に優れた一対のガラス製の基板１１ａ，１１ｂが所定のギャップを隔てた状態で貼り合わせられるとともに、両基板１１ａ，１１ｂ間に液晶が封入された構成とされる。一対の基板１１ａ，１１ｂのうち表側（正面側）がＣＦ基板１１ａとされ、裏側（背面側）がアレイ基板１１ｂとされる。このうち、アレイ基板１１ｂには、互いに直交するソース配線とゲート配線とに接続されたスイッチング素子（例えばＴＦＴ）と、そのスイッチング素子に接続された画素電極、さらには配向膜等が設けられている。一方、ＣＦ基板１１ａには、Ｒ（赤色），Ｇ（緑色），Ｂ（青色）等の各着色部が所定配列で配置されたカラーフィルタや対向電極、さらには配向膜等が設けられている。なお、両基板１１ａ，１１ｂの外側にはそれぞれ偏光板（図示は省略する）が配されている。
【００３０】
液晶パネル１１を構成する一対の基板１１ａ，１１ｂのうち、アレイ基板１１ｂは、図４に示すように、平面に視た大きさがＣＦ基板１１ａよりも大きく形成されており、その端部がＣＦ基板１１ａよりも外側に突き出す形で配されている。アレイ基板１１ｂにおける一対の長辺側端部のうち、Ｙ軸方向についてコントロール基板ＣＴＢ側の長辺側端部（図４に示す左側端部）には、上記したゲート配線及びソース配線から引き回された端子部が複数設けられており、これらの各端子部には、図２及び図４に示すように、液晶駆動用のドライバＤＲが実装されたフレキシブル基板（ＦＰＣ基板）２６が接続されている。フレキシブル基板２６は、Ｘ軸方向、つまりアレイ基板１１ｂの長辺側端部に沿う方向について複数が間欠的に並んで配されており、アレイ基板１１ｂの長辺側端部からＹ軸方向に沿って外向きに延出している。フレキシブル基板２６は、絶縁性及び可撓性を有する合成樹脂材料（例えばポリイミド系樹脂等）からなるフィルム状の基材を備え、その基材上に多数本の配線パターン（図示せず）を有するとともに、その配線パターンが基材における中央付近に実装されたドライバＤＲに接続されている。フレキシブル基板２６は、その一方の端部がアレイ基板１１ｂの端子部に対して、他方の端部が後述するプリント基板２７が有する端子部に対してそれぞれ異方性導電膜（ＡＣＦ）を介して圧着接続されている。なお、このプリント基板２７は、図示しない配線部材を介して上記したコントロール基板ＣＴＢに接続されており、コントロール基板ＣＴＢから入力される信号を、フレキシブル基板２６に伝送することが可能とされている。これにより、液晶パネル１１は、コントロール基板ＣＴＢから入力される信号に基づいてその表示面１１ｃに画像が表示されるようになっている。
【００３１】
この液晶パネル１１は、図４に示すように、次述する光学部材１５の表側（光出射側）に積層する形で載せられており、その裏側の面（裏側の偏光板の外面）が光学部材１５に対して殆ど隙間無く密着している。これにより、液晶パネル１１と光学部材１５との間に塵埃などが侵入するのが防がれている。液晶パネル１１における表示面１１ｃは、画面中央側にあって画像が表示可能な表示領域と、画面外周端側にあって表示領域の周りを取り囲む枠状（額縁状）をなす非表示領域とからなる。なお、上記した端子部及びフレキシブル基板２６は、非表示領域に配されている。
【００３２】
光学部材１５は、図３に示すように、液晶パネル１１と同様に平面に視て横長の方形状をなしており、その大きさ（短辺寸法及び長辺寸法）が液晶パネル１１と同等とされる。光学部材１５は、次述する導光板１６の表側（光出射側）に積層する形で載せられていて、上記した液晶パネル１１と導光板１６との間に挟み込まれた状態で配されている。光学部材１５は、いずれもシート状をなすとともに３枚が積層して配されている。具体的な光学部材１５の種類としては、例えば拡散シート、レンズシート、反射型偏光シートなどがあり、これらの中から適宜に選択して使用することが可能である。
【００３３】
導光板１６は、屈折率が空気よりも十分に高く且つほぼ透明な（透光性に優れた）合成樹脂材料（例えばＰＭＭＡなどのアクリル樹脂やポリカーボネートなど）からなる。導光板１６は、図３に示すように、液晶パネル１１及び光学部材１５と同様に平面に視て横長の方形状をなすとともに光学部材１５よりも厚みが大きな板状をなしており、その主面における長辺方向がＸ軸方向と、短辺方向がＹ軸方向とそれぞれ一致し、且つ主面と直交する板厚方向がＺ軸方向と一致している。導光板１６は、光学部材１５の裏側に積層していて光学部材１５とシャーシ１４との間に挟み込まれるよう配されている。導光板１６は、図４に示すように、少なくともその短辺寸法が、液晶パネル１１及び光学部材１５の各短辺寸法よりも大きくなっており、短辺方向についての両端部（長辺方向に沿った両端部）が液晶パネル１１及び光学部材１５における両端部よりも外向きに突き出して（平面に視て非重畳となるよう）配されている。この導光板１６は、その短辺方向の両側方に分けて配された対をなすＬＥＤユニットＬＵによってＹ軸方向について挟み込まれる形で配されており、短辺方向についての両端部にＬＥＤ１７からの光がそれぞれ導入されるようになっている。そして、この導光板１６は、その短辺方向についての両端部から導入したＬＥＤ１７からの光を内部で伝播させつつ光学部材１５側（表側）へ向くよう立ち上げて出射させる機能を有する。また、この導光板１６は、図５に示すように、その長辺寸法が、液晶パネル１１及び光学部材１５の各長辺寸法よりも大きくなっており、長辺方向についての両端部（短辺方向に沿った両端部）が液晶パネル１１及び光学部材１５における両端部よりも外向きに突き出して（平面に視て非重畳となるよう）配されている。
【００３４】
この導光板１６の主面のうち、表側を向いた面（光学部材１５との対向面）が、図４に示すように、内部の光を光学部材１５及び液晶パネル１１に向けて出射させる光出射面１６ａとなっている。導光板１６における主面に対して隣り合う外周端面のうち、Ｘ軸方向に沿って長手状をなす長辺側の両端面（短辺方向についての両端部が有する両端面）は、それぞれＬＥＤ１７（ＬＥＤ基板１８）と所定の空間を空けて正対する形で対向状をなしており、これらがＬＥＤ１７から発せられた光が入射される一対の光入射面１６ｂとなっている。この光入射面１６ｂは、Ｘ軸方向及びＺ軸方向（ＬＥＤ基板１８の主板面）に沿って並行する面とされ、光出射面１６ａに対して略直交する面とされる。また、ＬＥＤ１７と光入射面１６ｂとの並び方向は、Ｙ軸方向と一致しており、光出射面１６ａに並行している。
【００３５】
導光板１６における裏側、つまり光出射面１６ａとは反対側の面（シャーシ１４との対向面）１６ｃには、図４及び図５に示すように、その面１６ｃから裏側外部に出射した光を反射して表側へ立ち上げることが可能な導光反射シート（反射部材）２０がそのほぼ全域を覆う形で設けられている。言い換えると、導光反射シート２０は、シャーシ１４と導光板１６との間に挟み込まれた形で配されている。この導光反射シート２０は、合成樹脂製とされ、表面が光の反射性に優れた白色を呈するものとされる。導光反射シート２０は、図４に示すように、その短辺寸法が導光板１６の短辺寸法よりも大きくなっており、その両端部が導光板１６の光入射面１６ｂよりもＬＥＤ１７寄りに突き出して配されている。この導光反射シート２０における突出部位（長辺側の両端部）によってＬＥＤ１７からシャーシ１４側に向けて斜めに進行する光を効率的に反射して、導光板１６の光入射面１６ｂへと向かわせることが可能とされている。なお、導光板１６における光出射面１６ａまたはその反対側の面１６ｃの少なくともいずれか一方には、内部の光を反射させる反射部（図示せず）または内部の光を散乱させる散乱部（図示せず）が所定の面内分布を持つようパターニングされており、それにより光出射面１６ａからの出射光が面内において均一な分布となるよう制御されている。
【００３６】
次に、ＬＥＤユニットＬＵを構成するＬＥＤ１７、ＬＥＤ基板１８及び放熱部材１９の構成について順次に説明する。ＬＥＤユニットＬＵを構成するＬＥＤ１７は、図３及び図４に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面（導光板１６の光入射面１６ｂと正対する対向面）が主発光面１７ａとなる、いわゆる頂面発光型とされている。
【００３７】
ＬＥＤユニットＬＵを構成するＬＥＤ基板１８は、図３及び図４に示すように、導光板１６の長辺方向（Ｘ軸方向、光入射面１６ｂの長手方向）に沿って延在する細長い板状をなしており、その主面をＸ軸方向及びＺ軸方向に並行した姿勢、つまり導光板１６の光入射面１６ｂに並行した姿勢でフレーム１３及びシャーシ１４内に収容されている。ＬＥＤ基板１８は、その長さ寸法が導光板１６の長辺寸法の概ね半分程度の大きさとされている。ＬＥＤ基板１８の主面であって内側、つまり導光板１６側を向いた面（導光板１６との対向面）には、上記した構成のＬＥＤ１７が表面実装されており、ここが実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並列配置されている。つまり、ＬＥＤ１７は、バックライト装置１２における長辺側の両端部においてそれぞれ長辺方向に沿って複数ずつ間欠的に並列配置されていると言える。Ｘ軸方向について隣り合うＬＥＤ１７間の間隔、つまりＬＥＤ１７の配列ピッチは、ほぼ等しいものとされる。なお、ＬＥＤ１７の並び方向は、ＬＥＤ基板１８の長さ方向（Ｘ軸方向）と一致していることになる。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの両端部に形成された端子部が、コネクタや電線などの配線部材を介して電源基板ＰＷＢに接続されることで、各ＬＥＤ１７に駆動電力が供給されるようになっている。導光板１６を挟んで対をなすＬＥＤ基板１８は、ＬＥＤ１７の実装面１８ａが互いに対向状をなす姿勢でフレーム１３及びシャーシ１４内に収容されるので、対をなすＬＥＤ基板１８にそれぞれ実装された各ＬＥＤ１７の主発光面１７ａが対向状をなすとともに、各ＬＥＤ１７における光軸がＹ軸方向とほぼ一致する。また、ＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、セラミックなどの絶縁材料を用いることも可能である。
【００３８】
ＬＥＤユニットＬＵを構成する放熱部材１９は、図３及び図４に示すように、例えばアルミニウムなどの熱伝導性に優れた金属製とされている。放熱部材１９は、ＬＥＤ基板１８が取り付けられるＬＥＤ取付部（光源取付部）１９ａと、シャーシ１４の板面に面接触される放熱部１９ｂとを備え、これらが断面略Ｌ字型の屈曲形状をなしている。放熱部材１９は、その長さ寸法が上記したＬＥＤ基板１８の長さ寸法とほぼ同じ程度の大きさとされている。放熱部材１９を構成するＬＥＤ取付部１９ａは、ＬＥＤ基板１８の板面及び導光板１６の光入射面１６ｂに並行する板状をなしており、その長辺方向がＸ軸方向と、短辺方向がＺ軸方向と、厚さ方向がＹ軸方向とそれぞれ一致している。ＬＥＤ取付部１９ａのうち内側の板面、つまり導光板１６側を向いた板面には、ＬＥＤ基板１８が取り付けられている。ＬＥＤ取付部１９ａは、その長辺寸法がＬＥＤ基板１８の長辺寸法と概ね同等とされるものの、短辺寸法がＬＥＤ基板１８の短辺寸法よりも大きくなっている。その上で、ＬＥＤ取付部１９ａにおける短辺方向の両端部は、ＬＥＤ基板１８の両端部からＺ軸方向に沿って外向きに突出している。ＬＥＤ取付部１９ａのうち外側の板面、つまりＬＥＤ基板１８が取り付けられる板面とは反対側の板面は、後述するフレーム１３が有するネジ取付部２１と対向状をなしている。つまり、ＬＥＤ取付部１９ａは、フレーム１３のネジ取付部２１と導光板１６との間に介在する形で配されている。ＬＥＤ取付部１９ａは、次述する放熱部１９ｂにおける内側の端部、つまりＬＥＤ１７（導光板１６）側の端部からＺ軸方向（液晶パネル１１と導光板１６との重なり方向）に沿って表側、つまりフレーム１３側に向けて立ち上がる形態とされている。
【００３９】
放熱部１９ｂは、図３及び図４に示すように、シャーシ１４の板面に並行する板状をなしており、その長辺方向がＸ軸方向と、短辺方向がＹ軸方向と、厚さ方向がＺ軸方向とそれぞれ一致している。放熱部１９ｂは、ＬＥＤ取付部１９ａにおける裏側の端部、つまりシャーシ１４側の端部からＹ軸方向に沿って外側、つまり導光板１６側とは反対側に向けて突出する形態とされている。放熱部１９ｂは、その長辺寸法がＬＥＤ取付部１９ａとほぼ同じとされる。放熱部１９ｂのうち裏側の板面、つまりシャーシ１４側を向いた板面は、その全域がシャーシ１４の板面に対して面接触されている。その上で、放熱部１９ｂのうち表側の板面、つまりシャーシ１４に対する接触面とは反対側の板面は、後述するフレーム１３が有するネジ取付部２１と対向状をなすとともにネジ取付部２１の突出端面に対して接触されている。つまり、放熱部１９ｂは、フレーム１３のネジ取付部２１とシャーシ１４との間に挟み込まれる（介在する）形で配されている。これにより、ＬＥＤ１７から点灯に伴って生じた熱は、ＬＥＤ基板１８、ＬＥＤ取付部１９ａ及び放熱部１９ｂを介して、シャーシ１４及びネジ取付部２１を有するフレーム１３へと伝達されることで、液晶表示装置１０の外部へと効率的に放散されるようになっていて内部にこもり難くなっている。そして、この放熱部１９ｂは、ネジ取付部２１に対してネジ部材（固定部材）ＳＭによって取り付け状態に保持されるようになっており、そのネジ部材ＳＭを通すための挿通孔１９ｂ１を有している。
【００４０】
続いて、外観部材及び保持部材ＨＭをなすフレーム１３及びシャーシ１４の構成について説明する。フレーム１３及びシャーシ１４は、いずれも例えばアルミニウムなどの金属製とされており、仮に合成樹脂製とした場合に比べると、機械的強度（剛性）及び熱伝導性がいずれも高くなっている。これらフレーム１３及びシャーシ１４は、図３に示すように、その短辺方向についての両端部（両長辺側端部）に対をなすＬＥＤユニットＬＵをそれぞれ収容しつつも、互いに積層配置された液晶パネル１１、光学部材１５及び導光板１６を表側と裏側とから挟み込む形で保持するものとされる。
【００４１】
フレーム１３は、図３に示すように、液晶パネル１１の表示面１１ｃにおける表示領域を取り囲むよう、全体として横長の枠状をなしている。フレーム１３は、液晶パネル１１の表示面１１ｃに並行するとともに液晶パネル１１を表側から押さえるパネル押さえ部１３ａと、パネル押さえ部１３ａの外周側部分から裏側に向けて突出する側壁部１３ｂとからなり、断面形状が略Ｌ字型となっている。このうち、パネル押さえ部１３ａは、液晶パネル１１の外周縁部（非表示領域、額縁部分）に倣って横長の枠状をなすとともに液晶パネル１１の外周縁部をほぼ全周にわたって表側から押さえることが可能とされる。パネル押さえ部１３ａは、液晶パネル１１の外周縁部に加えて、液晶パネル１１の外周縁部よりも放射方向について外側に配される導光板１６の外周縁部、及び各ＬＥＤユニットＬＵをも表側から覆うことが可能な幅を有している。パネル押さえ部１３ａのうち表側を向いた外面（液晶パネル１１に対する対向面とは反対側の面）は、液晶パネル１１の表示面１１ｃと同じく液晶表示装置１０における表側外部に露出しており、液晶パネル１１の表示面１１ｃと共に液晶表示装置１０の正面を構成している。一方、側壁部１３ｂは、パネル押さえ部１３ａにおける外周側部分から裏側に向けて突出する略角筒状をなしている。側壁部１３ｂは、内部に収容される液晶パネル１１、光学部材１５、導光板１６及び各ＬＥＤユニットＬＵを全周にわたって取り囲むとともに、裏側のシャーシ１４をもほぼ全周にわたって取り囲むことが可能とされる。側壁部１３ｂは、液晶表示装置１０における周方向に沿った外面が、液晶表示装置１０における周方向外部に露出しており、液晶表示装置１０における天面、底面、両側面を構成している。
【００４２】
上記した基礎的構成を有する枠状のフレーム１３は、図９に示すように、各辺（各長辺部分及び各短辺部分）毎に分割された４つの分割フレーム１３Ｓを組み付けてなるものとされる。詳しくは、分割フレーム１３Ｓは、フレーム１３（パネル押さえ部１３ａ及び側壁部１３ｂ）における各長辺側部分を構成する一対の長辺側分割フレーム１３ＳＬと、各短辺側部分を構成する一対の短辺側分割フレーム１３ＳＳとからなるものとされる。長辺側分割フレーム１３ＳＬは、Ｘ軸方向に沿って延在する断面略Ｌ字型の角柱材からなるのに対し、短辺側分割フレーム１３ＳＳは、Ｙ軸方向に沿って延在する断面略Ｌ字型の角柱材からなる。これにより、各分割フレーム１３Ｓを製造するに際して、例えば金属材料を押し出し成形する、といった製造方法を採用することが可能となるから、仮に枠状のフレーム１３を金属材料の削り出しなどの製造方法によって製造した場合に比べて、製造コストの低廉化を図ることができる。隣り合う長辺側分割フレーム１３ＳＬ及び短辺側分割フレーム１３ＳＳは、それぞれの延在方向についての端部同士を連結することで、枠状のフレーム１３を構成している。この長辺側分割フレーム１３ＳＬ及び短辺側分割フレーム１３ＳＳの連結部位（フレーム１３の継ぎ目）である各端部は、図９及び図１０に示すように、平面に視てＸ軸方向及びＹ軸方向の双方に対して傾斜状をなしており、詳しくはパネル押さえ部１３ａの各角部における内端位置と外端位置とを結んだ直線に倣う形状とされている。なお、長辺側分割フレーム１３ＳＬは、液晶パネル１１、光学部材１５及び導光板１６に加えて各ＬＥＤユニットＬＵを覆うため（図６を参照）、ＬＥＤユニットＬＵを覆うことがない短辺側分割フレーム１３ＳＳ（図８を参照）に比べて相対的に幅広に形成されている。
【００４３】
シャーシ１４は、図３に示すように、導光板１６及びＬＥＤユニットＬＵなどを裏側からほぼ全域にわたって覆うよう、全体として横長な略浅皿状をなしている。このシャーシ１４のうち裏側を向いた外面（導光板１６及びＬＥＤユニットＬＵに対する対向面とは反対側の面）は、液晶表示装置１０における裏側外部に露出していて液晶表示装置１０の背面を構成している。シャーシ１４は、導光板１６と同様に横長の方形状をなす底板部１４ａと、底板部１４ａにおける両長辺側端部からそれぞれ裏側に段差状に突出するとともにＬＥＤユニットＬＵを収容する一対のＬＥＤ収容部（光源収容部）１４ｂとを有している。
【００４４】
底板部１４ａは、図３及び図４に示すように、導光板１６における短辺方向についての中央側の大部分（短辺方向についての両先端部分を除いた部分）を裏側から受けることが可能な平板状をなしており、導光板１６に対する受け部を構成していると言える。底板部１４ａのうち、その長辺方向についての両端側部分は、図５に示すように、導光板１６の長辺方向についての両端部よりも外側にそれぞれ延出するとともに、フレーム１３とシャーシ１４とを組み付け状態に固定するためのネジ部材（固定部材）ＳＭが外部から装着される一対のネジ装着部１４ａ１とされている。
【００４５】
ＬＥＤ収容部１４ｂは、図３及び図４に示すように、底板部１４ａをその短辺方向の両側から挟み込む形で配されるとともに、底板部１４ａよりも一段裏側に引っ込むことで、ＬＥＤユニットＬＵを収容可能とされる。ＬＥＤ収容部１４ｂは、底板部１４ａに並行するとともにネジ部材ＳＭが外部から装着されるネジ装着部１４ｂ１と、ネジ装着部１４ｂ１の両端部から表側に向けてそれぞれ立ち上がる一対の側板部１４ｂ２とから構成され、一対の側板部１４ｂ２のうちの内側の側板部１４ｂ２が底板部１４ａに連なっている。そして、ＬＥＤ収容部１４ｂにおけるネジ装着部１４ｂ１には、その内面に対してＬＥＤユニットＬＵを構成する放熱部材１９の放熱部１９ｂが面接触された状態で配されている。
【００４６】
このように本実施形態に係るシャーシ１４における外周側部分のうち、両長辺側部分には、図３に示すように、ＬＥＤ収容部１４ｂを構成する一対のネジ装着部１４ｂ１が、両短辺側部分には、底板部１４ａを構成する一対のネジ装着部１４ａ１がそれぞれ形成されていることになる。底板部１４ａが有する一対のネジ装着部１４ａ１と、ＬＥＤ収容部１４ｂが有する一対のネジ装着部１４ｂ１とには、それぞれネジ部材ＳＭを通すネジ挿通孔２５がそれぞれ複数ずつ開口形成されている。なお、ＬＥＤ収容部１４ｂが有する一対のネジ装着部１４ｂ１に形成されたネジ挿通孔２５には、図６に示すように、ネジ部材ＳＭの軸部のみを通す大きさの共締め用ネジ挿通孔２５Ａと、図７に示すように、ネジ部材ＳＭの軸部に加えて頭部をも通す大きさの放熱部材用ネジ挿通孔２５Ｂとがあり、前者に通されるネジ部材ＳＭが放熱部１９ｂ及び収容底板部１４ｂ１を共締めしてネジ取付部２１に取り付けるのに対し、後者に通されるネジ部材ＳＭが放熱部１９ｂのみをネジ取付部２１に取り付けるのに機能する。
【００４７】
ところで、本実施形態に係る液晶表示装置１０では、液晶パネル１１、光学部材１５及び導光板１６が直接重ね合わせられており、従来のように液晶パネルと導光板との間にパネル受け部材が介在する構成とはなっていない。このため、この液晶表示装置１０では、パネル受け部材が存在しない分だけ全体の強度が低下しているのに加え、構造物であるパネル受け部材によって一定に維持されていた液晶パネル１１と導光板１６とのＺ軸方向についての位置関係が不安定なものとなることが懸念される。詳しくは、液晶パネル１１、光学部材１５及び導光板１６が直接重ね合わせられる構成では、各部材１１，１５，１６のＺ軸方向についての位置関係が、各部材１１，１５，１６に付与される保持力に依存するものとなるため、その保持力が不十分であったりムラがあると、各部材１１，１５，１６にはその面内において隙間無く密着する部分と、隙間が空く部分とが生じるおそれがある。そうなると、液晶パネル１１の表示面１１ｃの面内において供給される光量にムラが生じ、結果として表示される画像の表示品位が悪化するおそれがあった。
【００４８】
そこで、本実施形態に係る液晶表示装置１０を構成するフレーム１３の外周側部分には、その内面から突出するとともに外周側部分の各辺に沿って延在する形で配されるネジ取付部２１が設けられており、それによりフレーム１３の機械的強度（剛性）の向上が図られている。従って、フレーム１３には、全体に歪みが生じ難く、例えば各辺に沿う部分（各長辺側分割フレーム１３ＳＬ及び各短辺側分割フレーム１３ＳＳ）が撓む（反る）ような変形や、軸線周りに捻られるような変形が生じ難くなっている。このように歪み難い構造のフレーム１３とシャーシ１４とによって挟み込まれる液晶パネル１１、光学部材１５及び導光板１６には、高い保持力が全周にわたってムラ無く安定的に付与されるようになっており、それにより液晶パネル１１、光学部材１５及び導光板１６をその面内において概ね全域にわたってムラ無く密着させることができる。これにより、液晶パネル１１の表示面１１ｃに供給される光量がその面内において均一化され、もって表示される画像の表示品位を高いものとすることができるのである。続いて、ネジ取付部２１の具体的な構造について詳しく説明する。
【００４９】
ネジ取付部２１は、図４及び図５に示すように、フレーム１３の外周側部分である側壁部１３ｂに一体形成されている。このネジ取付部２１には、シャーシ１４の外周側部分であるネジ装着部１４ａ１，１４ｂ１を挟んだ状態でネジ部材ＳＭが取り付けられている。ネジ取付部２１は、側壁部１３ｂの内面から内向き（Ｘ軸方向またはＹ軸方向）に突出することで、シャーシ１４の外周側部分であるネジ装着部１４ａ１，１４ｂ１と平面に視て重畳する位置に配されている。ネジ取付部２１は、Ｚ軸方向について、フレーム１３のパネル押さえ部１３ａとシャーシ１４との間に介在する形で配されている。ネジ取付部２１は、側壁部１３ｂの各辺に沿って延在する細長い略ブロック状をなしており、側壁部１３ｂの各辺の全長にわたる長さ寸法を有している。ネジ取付部２１は、図９に示すように、フレーム１３を構成する各分割フレーム１３Ｓにそれぞれ分けて設けられており、各分割フレーム１３Ｓが組み付けられると、全体として角筒状の側壁部１３ｂの内面に対して全周にわたって連なる枠状をなすものとされる。言い換えると、枠状をなすネジ取付部２１は、側壁部１３ｂにおける各辺（各長辺部分及び各短辺部分）毎に分割された分割ネジ取付部２１Ｓからなるものとされており、隣り合う各分割ネジ取付部２１Ｓにおける延在方向についての端面同士が当接されることで、全体として枠状をなしている。隣り合う各分割ネジ取付部２１Ｓにおける互いに当接される端面は、図９及び図１０に示すように、各分割フレーム１３Ｓの連結部位と同様に平面に視てＸ軸方向及びＹ軸方向の双方に対して傾斜状をなしており、詳しくはパネル押さえ部１３ａの各角部における内端位置と外端位置とを結んだ直線に倣う形状とされている。
【００５０】
ネジ取付部２１には、図４及び図５に示すように、裏側（ネジ部材ＳＭ側）に向けて開口するとともにネジ部材ＳＭを取り付け可能な溝部２１ａが形成されている。溝部２１ａは、ネジ取付部２１における長さ方向に沿ってそのほぼ全長にわたって延在する形態とされており（図９を参照）、その幅寸法がネジ部材ＳＭの軸部よりもやや小さい程度の大きさとされている。各分割ネジ取付部２１Ｓに形成された溝部２１ａは、図９に示すように、隣り合うもの同士が連通することで平面に視て枠状をなしている。ネジ取付部２１は、図４及び図５に示すように、溝部２１ａが形成された裏側を向いた面が、シャーシ１４のネジ装着部１４ａ１，１４ｂ１と対向状をなしており、溝部２１ａがネジ装着部１４ａ１，１４ｂ１の各ネジ挿通孔２５に対して連通されている。ネジ部材ＳＭは、シャーシ１４の裏側（表示面１１ｃ側とは反対側）からＺ軸方向（液晶パネル１１と導光板１６との重なり方向）に沿ってネジ挿通孔２５を通されるとともにネジ取付部２１の溝部２１ａに締め付けられるようになっている。ネジ部材ＳＭが締め付けられると、溝部２１ａには、ネジ部材ＳＭの軸部に形成されたネジ山によってネジ溝が螺刻形成されるようになっている。ネジ取付部２１のうち長辺側部分（長辺側の分割ネジ取付部２１Ｓ）は、図６及び図７に示すように、その裏側を向いた面が放熱部材１９の放熱部１９ｂに対して当接されるとともに、共締め用ネジ挿通孔２５Ａを通されたネジ部材ＳＭの頭部との間で放熱部１９ｂ及び長辺側のネジ装着部１４ｂ１を共に挟み込んで保持し（図６）、且つ放熱部材用ネジ挿通孔２５Ｂを通されたネジ部材ＳＭの頭部との間で放熱部１９ｂを挟み込んで保持する（図７）ことが可能とされる。一方、ネジ取付部２１のうち短辺側部分（短辺側の分割ネジ取付部２１Ｓ）は、図８に示すように、その裏側を向いた面が短辺側のネジ装着部１４ａ１の板面に当接されるとともに、ネジ挿通孔２５を通されたネジ部材ＳＭの頭部との間で短辺側のネジ装着部１４ａ１を挟み込んで保持することが可能とされる。
【００５１】
ネジ取付部２１は、図６及び図８に示すように、側壁部１３ｂと対向する外側の側面が、側壁部１３ｂの内面から突出する突部２２に連ねられており、それにより側壁部１３ｂの内面から内側に所定の間隔を空けた位置に配されている。突部２２は、側壁部１３ｂの内面において全周にわたって形成されることで平面に視て枠状をなしており、その全域がネジ取付部２１の内面に連ねられている。長辺側のネジ取付部２１と側壁部１３ｂとの間に有される、突部２２分の隙間には、図６に示すように、シャーシ１４のＬＥＤ収容部１４ｂにおける外側の側板部１４ｂ２が挿入されることで、シャーシ１４をフレーム１３に対してＹ軸方向について位置決めすることが可能とされている。つまり、シャーシ１４のＬＥＤ収容部１４ｂにおける外側の側板部１４ｂ２は、「位置決め部」を構成していると言える。また、突部２２は、ネジ取付部２１のうち表側の端部に連ねられている。つまり、ネジ取付部２１は、突部２２から裏側に向けてＺ軸方向に沿って突出する形で配されている、と言える。
【００５２】
ネジ取付部２１は、図６及び図８に示すように、Ｚ軸方向についてパネル押さえ部１３ａの内面との間に所定の間隔を空けた位置に配されており、パネル押さえ部１３ａには直接連結されない構成となっている。従って、ＬＥＤ１７が点灯するのに伴ってＬＥＤ１７から発生した熱は、ＬＥＤ基板１８及び放熱部材１９から長辺側のネジ取付部２１に伝達されてから、パネル押さえ部１３ａには直接的に殆ど伝達されることがなく、主にネジ取付部２１が連なる側壁部１３ｂや放熱部１９ｂが当接されるシャーシ１４のネジ装着部１４ｂ１へと伝達されるようになっている。これにより、パネル押さえ部１３ａは、側壁部１３ｂやシャーシ１４に比べると温度上昇し難くなっている。このパネル押さえ部１３ａは、液晶表示装置１０における表側、つまり使用者側の外観をなすために外部の物体が接触し易いものの、上記のように温度上昇が抑制されることで、接触した物体に熱による悪影響が及ぶのを防ぐことができる。
【００５３】
上記のようにネジ取付部２１とパネル押さえ部１３ａとの間には、隙間が有されていて突出部２１が直接パネル押さえ部１３ａを支持する構造とはなっていないのに対し、放熱部材１９は、図６及び図７に示すように、放熱部１９ｂがシャーシ１４のネジ装着部１４ｂ１の内面に当接されているのに加え、Ｚ軸方向に沿って立ち上がるＬＥＤ取付部１９ａがネジ装着部１４ｂ１の内面とフレーム１３のパネル押さえ部１３ａの内面とに当接されている。つまり、ＬＥＤ取付部１９ａは、互いに並行するフレーム１３のパネル押さえ部１３ａとシャーシ１４のネジ装着部１４ｂ１との双方を支持する支柱として機能するので、フレーム１３及びシャーシ１４の強度をより向上させることができるものとされる。
【００５４】
長辺側の一対のネジ取付部２１は、図４に示すように、Ｙ軸方向について、フレーム１３の各側壁部１３ｂとＬＥＤユニットＬＵをなす各放熱部材１９のＬＥＤ取付部１９ａとの間に介在する形で配されており、ＬＥＤ取付部１９ａとの間には所定の間隔が有されている。そして、一対の放熱部材１９のうち、フレキシブル基板２６と平面に視て重畳する位置関係にある放熱部材１９と、その放熱部材１９が取り付けられるネジ取付部２１との間には、図６及び図７に示すように、プリント基板２７を収容可能な基板収容空間ＢＳとされている。つまり、プリント基板２７は、ネジ取付部２１とＬＥＤ取付部１９ａとの間に介設されている。プリント基板２７は、合成樹脂製とされており、ネジ取付部２１及びＬＥＤ取付部１９ａの長さ方向（Ｘ軸方向）に沿って延在する横長な板状をなしており、その板面をＬＥＤ取付部１９ａの外側（ＬＥＤ基板１８側とは反対側）の板面に並行させた姿勢、言い換えると長辺方向をＸ軸方向と、短辺方向をＺ軸方向と、厚さ方向をＹ軸方向とそれぞれ一致させた姿勢で上記した基板収容空間ＢＳ内に収容されている。プリント基板２７には、その長辺方向に沿って複数のフレキシブル基板２６が間欠的に並んで配されるとともにその他方側の端部がそれぞれ接続されている。このプリント基板２７と液晶パネル１１のアレイ基板１１ｂとに接続されたフレキシブル基板２６は、ＬＥＤ取付部１９ａ、ＬＥＤ基板１８及びＬＥＤ１７をＹ軸方向に沿って横切っている。また、このプリント基板２７は、ＦＰＣの一端側が差し込まれて接続されるコネクタ部（ＦＰＣ共々図示せず）を有しており、このＦＰＣの他端側がシャーシ１４に形成されたＦＰＣ挿通孔（図示せず）を通してシャーシ１４の裏側外部に引き出されるとともにコントロール基板ＣＴＢに接続されている。なお、一対の放熱部材１９のうち、フレキシブル基板２６と平面に視て重畳する位置関係にある放熱部材１９のＬＥＤ取付部１９ａには、フレキシブル基板２６を挿通するためのフレキシブル基板挿通溝部１９ａ１が、Ｘ軸方向に沿って複数間欠的に並列する形で切欠形成されており、その配置が各フレキシブル基板２６の配置と一致するものとされる。
【００５５】
また、パネル押さえ部１３ａにおける内縁部には、図４及び図５に示すように、裏側、つまり液晶パネル１１側に突出する押さえ突起２４が一体形成されている。押さえ突起２４は、その突出先端面に緩衝材２４ａが取り付けられており、この緩衝材２４ａを介して液晶パネル１１を表側から押さえることが可能とされている。この押さえ突起２４及び緩衝材２４ａは、図９に示すように、上記したネジ取付部２１と同様に、フレーム１３を構成する各分割フレーム１３Ｓにおいて、各辺に沿って延在する形態とされつつも各辺毎にそれぞれ分割して設けられており、各分割フレーム１３Ｓが組み付けられると、全体としてパネル押さえ部１３ａの内周縁部において全周にわたって配される枠状をなすものとされる。
【００５６】
また、パネル押さえ部１３ａのうち、押さえ突起２４よりも外寄り（ＬＥＤユニットＬＵ寄り）の位置には、図４及び図５に示すように、導光板１６を表側から支持する導光板支持部２３が一体形成されている。導光板支持部２３は、パネル押さえ部１３ａの内面からＺ軸方向に沿って裏側に向けてそれぞれ突出するとともに、パネル押さえ部１３ａの各辺に沿って延在する細長い略ブロック状をなしている。導光板支持部２３は、図９に示すように、上記したネジ取付部２１と同様に、フレーム１３を構成する各分割フレーム１３Ｓにそれぞれ分割して設けられており、各分割フレーム１３Ｓが組み付けられると、全体としてパネル押さえ部１３ａ（導光板１６）の全周にわたって配される枠状をなすものとされる。導光板支持部２３は、図４及び図５に示すように、導光板１６のうち液晶パネル１１及び光学部材１５よりも外向きに突出した外周側端部と平面に視て重畳する配置とされており、その突出先端面が導光板１６の外周側端部における表側の面、つまり光出射面１６ａに対して当接されている。従って、導光板支持部２３は、後述するシャーシ１４との間で導光板１６を挟み込んだ状態で支持することが可能とされ、導光板支持機能を有している。導光板１６は、その外周側端部が全周にわたって枠状をなす導光板支持部２３によって表側から押さえられることになる。導光板支持部２３が当接される導光板１６における長辺側端部は、ＬＥＤ１７に対する光入射面１６ｂを有する端部であることから、導光板支持部２３によって導光板１６を支持することで、ＬＥＤ１７と光入射面１６ｂとのＺ軸方向についての位置関係を安定的に維持することが可能とされている。
【００５７】
また、長辺側分割フレーム１３ＳＬに設けられるとともにパネル押さえ部１３ａの長辺に沿って延在する一対の長辺側の導光板支持部２３は、図４に示すように、液晶パネル１１とＬＥＤ１７との間に介在する形で配されている。詳しくは、一対の長辺側の導光板支持部２３は、液晶パネル１１及び光学部材１５におけるＬＥＤ１７側の各端面と、ＬＥＤ１７との間に存在する空間を閉塞することで、ＬＥＤ１７からの光が、導光板１６を通ることなく液晶パネル１１及び光学部材１５の上記端面に直接入射するのを防ぐ、いわば遮光機能をも有しており、「遮光部」としても機能する。なお、一対の長辺側の導光板支持部２３のうち、フレキシブル基板２６と平面に視て重畳する位置関係にある導光板支持部２３には、フレキシブル基板２６を挿通するためのフレキシブル基板挿通溝部２３ａが、Ｘ軸方向に沿って複数間欠的に並列する形で切欠形成されており、その配置が各フレキシブル基板２６の配置と一致するものとされる。
【００５８】
本実施形態は以上のような構造であり、続いてその作用を説明する。液晶表示装置１０を製造するには、それぞれ別途に製造した各構成部品（フレーム１３、シャーシ１４、液晶パネル１１、光学部材１５、導光板１６、ＬＥＤユニットＬＵなど）を相互に組み付けるようにして行う。組み付けに際しては、各構成部品は、その全てが図４及び図５に示す姿勢とはＺ軸方向について天地反転させた姿勢でもって組み付けられる。まず、図１１及び図１２に示すように、構成部品のうちのフレーム１３を、その裏側の面が鉛直方向の上側を向く姿勢としつつ図示しない作業台上にセットする。なお、フレーム１３は、予め４つの分割フレーム１３Ｓを相互に連結することで、全体として枠状に形成されている。
【００５９】
液晶パネル１１は、図１１に示すように、予めフレキシブル基板２６及びプリント基板２７が接続された状態で組み付けに供されている。上記した姿勢でセットされたフレーム１３に対して液晶パネル１１を、図１１及び図１２に示すように、そのＣＦ基板１１ａが鉛直方向の下側に、アレイ基板１１ｂが鉛直方向の上側になる姿勢としつつ組み付ける。このとき、プリント基板２７を、その板面がフレーム１３のネジ取付部２１における液晶パネル１１側を向いた面に沿う姿勢としつつネジ取付部２１に取り付ける。このため、フレキシブル基板２６は、途中で略Ｌ字型に屈曲される。この取り付け過程では、各フレキシブル基板２６は、平面に視て重畳する位置関係とされた導光板支持部２３の各フレキシブル基板挿通溝部２３ａに対してＸ軸方向について位置決めされつつ挿通されている。また、液晶パネル１１は、その表側の面がフレーム１３における押さえ突起２４に取り付けられた緩衝材２４ａによって受けられることで緩衝が図られる。続いて、各光学部材１５を順次に液晶パネル１１の裏側の面上に直接積層配置する。
【００６０】
一方、フレーム１３には、図１１に示すように、予めＬＥＤ１７、ＬＥＤ基板１８及び放熱部材１９を一体化してなるＬＥＤユニットＬＵが組み付けられる。ＬＥＤユニットＬＵは、ＬＥＤ１７がフレーム１３における中央側（内側）を向くとともに、放熱部材１９における放熱部１９ｂがフレーム１６のネジ取付部２１と対向する姿勢とされた状態で、フレーム１３のネジ取付部２１に対して取り付けられる。取り付けに伴い、放熱部材１９のＬＥＤ取付部１９ａにおける表側を向いた端面が、フレーム１３のパネル押さえ部１３ａにおける内面に当接される。各ＬＥＤユニットＬＵを各ネジ取付部２１に対して取り付けた状態では、放熱部１９ｂが有する各挿通孔１９ｂ１をネジ取付部２１の溝部２１ａに対して連通させるようにする。一対のＬＥＤユニットＬＵのうち、フレキシブル基板２６と平面に視て重畳する位置関係にあるものに関しては、放熱部材１９のＬＥＤ取付部１９ａにおける各フレキシブル基板挿通凹部１９ａ１を各フレキシブル基板２６に対してＸ軸方向について位置合わせすることで、各フレキシブル基板２６が各フレキシブル基板挿通凹部１９ａ１に挿通される。この放熱部材１９がネジ取付部２１に対して取り付けられると、そのＬＥＤ取付部１９ａとネジ取付部２１との間に基板収容空間ＢＳが形成され、そこにプリント基板２７が収容されることになる。
【００６１】
このようにしてＬＥＤユニットＬＵをネジ取付部２１に取り付けたら、図１１に示すように、続いて裏側からネジ部材ＳＭを放熱部１９ｂにおける所定の挿通孔１９ｂ１に通してネジ取付部２１の溝部２１ａに対して螺合させる。ネジ部材ＳＭは、締め付けに伴ってその軸部の軸線方向であるＺ軸方向に沿って螺進するものとされる。このネジ部材ＳＭの頭部とネジ取付部２１との間で放熱部材１９の放熱部１９ｂが挟持されることで、ＬＥＤユニットＬＵは、次述するシャーシ１４を組み付ける前の段階において、ネジ取付部２１に対して取り付け状態に保持される（図７を参照）。なお、ＬＥＤユニットＬＵをフレーム１３に組み付けるタイミングは、光学部材１５を組み付ける前であったり、或いは液晶パネル１１を組み付ける前であっても構わない。
【００６２】
ＬＥＤユニットＬＵをネジ取付部２１に対してネジ止めする作業を終えたら、図１１及び図１２に示すように、導光板１６を、最も裏側に配される光学部材１５の裏側の面上に直接積層配置してから、導光反射シート２０を導光板１６の光出射面１６ａとは反対側の面１６ｃ上に直接積層配置する。このとき、導光板１６における両長辺側端部は、フレーム１３の導光板支持部２３によってそれぞれ組み付け時の鉛直方向の下側（表側）から支持される。
【００６３】
上記のようにしてフレーム１３に対して液晶パネル１１、光学部材１５、導光板１６、及びＬＥＤユニットＬＵを組み付けたら、続いてシャーシ１４を組み付ける作業を行う。シャーシ１４は、図１１及び図１２に示すように、その表側の面が鉛直方向の下側を向く姿勢とされた状態で、フレーム１３に対して組み付けられる。このとき、シャーシ１４のうち両ＬＥＤ収容部１４ｂにおける外側の各収容側板部１４ｂ２を、フレーム１３における両長辺側の側壁部１３ｂとネジ取付部２１との間の隙間に挿入することで、フレーム１３に対してシャーシ１４がＹ軸方向について位置決めされる。組付過程では、予め放熱部材１９及びネジ取付部２１に取り付けられたネジ部材ＳＭの頭部が、シャーシ１４の両ＬＥＤ収容部１４ｂにおける各放熱部材用ネジ挿通孔２５Ｂに通される（図７を参照）。そして、シャーシ１４のうち底板部１４ａが導光板１６（導光反射シート２０）に、底板部１４ａの各ＬＥＤ装着部１４ａ１が各ネジ取付部２１に、各ＬＥＤ収容部１４ｂのＬＥＤ装着部１４ｂ１が各放熱部材１９の放熱部１９ｂにそれぞれ当接されたところで、底板部１４ａのＬＥＤ装着部１４ａ１が有する各ネジ挿通孔２５と、各ＬＥＤ収容部１４ｂのＬＥＤ装着部１４ｂ１が有する各共締め用ネジ挿通孔２５Ａにそれぞれ裏側からネジ部材ＳＭを通し、そのネジ部材ＳＭをネジ取付部２１の溝部２１ａに螺合させる。このネジ部材ＳＭは、締め付けに伴ってその軸部の軸線方向であるＺ軸方向に沿って螺進するものとされる。このネジ部材ＳＭによってＬＥＤユニットＬＵ及びシャーシ１４がネジ取付部２１に対して取り付け状態に保持される（図６及び図８を参照）。このようにして取り付けられた各ネジ部材ＳＭは、液晶表示装置１０における裏側の外観を構成するシャーシ１４の裏面側に配されていることから、表側、つまり液晶表示装置１０を使用する使用者側からは直接視認され難くなっており、もって液晶表示装置１０の外観がすっきりとしたデザイン性の高いものとなる。
【００６４】
以上のようにして液晶表示ユニットＬＤＵの組み付けが完了する。その後、液晶表示ユニットＬＤＵに対してその裏面側にスタンド取付部材ＳＴＡ及び各種基板ＰＷＢ，ＭＢ，ＣＴＢを組み付けた後に、スタンドＳＴ及びカバー部材ＣＶを組み付けることで、液晶表示装置１０及びテレビ受信装置ＴＶが製造される。このようにして製造された液晶表示装置１０は、液晶パネル１１を表示面１１ｃ側から押さえるフレーム１３、及びバックライト装置１２を構成するシャーシ１４がそれぞれ外観を構成しているのに加え、液晶パネル１１と光学部材１５とが直接積層されているので、従来のようにフレーム１３及びシャーシ１４とは別途に合成樹脂製のキャビネットや、液晶パネル１１と光学部材１５との間に介在して両者を非接触となるように保つパネル受け部材を有するものに比べると、部品点数及び組付工数が削減されることで製造コストが低廉化するとともに、薄型化及び軽量化が図られている。
【００６５】
上記のようにして製造された液晶表示装置１０の電源をＯＮすると、図４に示すように、電源基板ＰＷＢからの電力供給を受けて、コントロール基板ＣＴＢから各種信号がプリント基板２７及びフレキシブル基板２６（ドライバＤＲ）を介して液晶パネル１１に供給されてその駆動が制御されるとともに、バックライト装置１２を構成する各ＬＥＤ１７が駆動される。各ＬＥＤ１７からの光は、導光板１６により導光されてから光学部材１５を透過することで、均一な面状の光に変換されてから液晶パネル１１に照射され、もって液晶パネル１１に所定の画像が表示される。バックライト装置１２に係る作用について詳しく説明すると、各ＬＥＤ１７を点灯させると、各ＬＥＤ１７から出射した光は、図６に示すように、導光板１６における光入射面１６ｂに入射する。光入射面１６ｂに入射した光は、導光板１６における外部の空気層との界面にて全反射されたり、導光反射シート２０により反射されるなどして導光板１６内を伝播される過程で、図示しない反射部または散乱部によって反射または散乱されることで光出射面１６ａから出射されて光学部材１５に照射される。
【００６６】
ここで、本実施形態に係る液晶表示装置１０においては、導光板１６及び光学部材１５に対して液晶パネル１１が直接積層されていて、従来のようにパネル受け部材が介在する構成とはなっていない。このため、この液晶表示装置１０では、パネル受け部材が存在しない分だけ全体の強度が低下しているのに加え、構造物であるパネル受け部材によって一定に維持されていた液晶パネル１１と導光板１６とのＺ軸方向についての位置関係が不安定なものとなることが懸念される。その点、本実施形態に係る液晶表示装置１０を構成するフレーム１３の外周側部分には、図４及び図５に示すように、その内面から突出するとともに外周側部分の各辺に沿って延在する形で配されるネジ取付部２１が設けられており、それによりフレーム１３の機械的強度（剛性）の向上が図られている。しかも、ネジ取付部２１は、フレーム１３の外周側部分の各辺の全長にわたって延在する形態とされるとともに、フレーム１３を構成する各分割フレーム１３Ｓの連結部位にて端面同士が当接していて全体として枠状をなしていることから、フレーム１３の機械的強度が一層向上されている。従って、フレーム１３には、全体に歪みが生じ難くなっていることから、シャーシ１４との間に挟み込まれる液晶パネル１１、光学部材１５及び導光板１６には、高い保持力が全周にわたってムラ無く安定的に付与されている。それに加えて、ネジ部材ＳＭは、Ｚ軸方向、つまり液晶パネル１１、光学部材１５及び導光板１６の重なり方向に沿って取り付けられていることから、これら各部材１１，１５，１６にはその重なり方向から直接的に保持力が付与されている。以上により、液晶パネル１１、光学部材１５及び導光板１６をその面内において概ね全域にわたってムラ無く密着させることができる。これにより、液晶パネル１１の表示面１１ｃに供給される光量がその面内において均一化され、もって表示される画像の表示品位を高いものとすることができる。
【００６７】
また、上記したように、本実施形態に係る液晶表示装置１０においては、液晶パネル１１と導光板１６との間に従来のようなパネル受け部材が介在する構成とはなっていないため、ＬＥＤ１７側の空間が液晶パネル１１側の空間に連通していてＬＥＤ１７からの光が、導光板１６を介さずに直接液晶パネル１１の端面に入射することが懸念される。その点、本実施形態では、図４に示すように、フレーム１３にＬＥＤ１７と液晶パネル１１との間に介在する形で配される導光板支持部２３を設けるようにしているから、ＬＥＤ１７側の空間と液晶パネル１１側の空間とが導光板支持部２３によって光学的に隔絶した状態に仕切られている。これにより、ＬＥＤ１７からの光が導光板１６を介することなく直接液晶パネル１１の端面に入射するのを遮ることができ、もって光漏れによる表示品位の低下を防ぐことができる。しかも、導光板支持部２３は、導光板１６の外周側端部をシャーシ１４との間で挟み込んで支持していることから、ＬＥＤ１７と導光板１６の端部に形成された光入射面１６ｂとのＺ軸方向についての位置関係を安定化させることができる。これにより、ＬＥＤ１７から光入射面１６ｂに入射する光の入射効率を安定したものとすることができる。
【００６８】
ところで、液晶表示装置１０の使用に伴って、各ＬＥＤ１７を点灯させると各ＬＥＤ１７からは発熱が生じることになる。各ＬＥＤ１７から生じた熱は、図６に示すように、まずはＬＥＤ基板１８に伝達されてから放熱部材１９へと伝達される。この放熱部材１９は、フレーム１３のネジ取付部２１と、シャーシ１４のＬＥＤ収容部１４ｂにおけるネジ装着部１４ｂ１とに対して取り付けられているので、ＬＥＤ１７からの熱は、主に放熱部材１９からこれらネジ取付部２１及びネジ装着部１４ｂ１へと伝達されることになる。ここで、ネジ取付部２１は、フレーム１３のうち、側壁部１３ｂに突部２２を介して連ねられているものの、パネル押さえ部１３ａには直接的に連ねられておらず、所定の隙間を介して対向状に配されている。このため、ネジ取付部２１に伝達された熱は、主に側壁部１３ｂへと伝達されることになり、それによりパネル押さえ部１３ａの温度上昇を抑制することができる。このパネル押さえ部１３ａは、フレーム１３の中でも液晶表示装置１０において表側、つまり使用者側に対面する部位であることから、側壁部１３ｂに比べると、外部の物体が相対的に接触し易い傾向にある。本実施形態では、そのパネル押さえ部１３ａの温度上昇が抑制されているから、外部の物体がパネル押さえ部１３ａに接触した場合でも、その物体に熱による悪影響が及ぶのを防ぐことができる。特に、本実施形態に係るフレーム１３は、機械的強度を十分に得るべく金属製とされているために、熱伝導性が良好であることから、上記のようにパネル押さえ部１３ａの温度上昇を抑制するのは極めて有用となっている。以上のように、パネル押さえ部１３ａの温度上昇を抑制しつつも、ＬＥＤ１７からの熱をフレーム１３の側壁部１３ｂ及びシャーシ１４の熱容量を利用して効率的に外部へと放散させることができる。
【００６９】
以上説明したように本実施形態の液晶表示装置（表示装置）１０は、ＬＥＤ（光源）１７と、ＬＥＤ１７の光を利用して表示を行う液晶パネル（表示パネル）１１と、液晶パネル１１に対してその表示面１１ｃ側とは反対側に重なるように配されるとともに端面がＬＥＤ１７と対向状に配される導光板１６と、液晶パネル１１及び導光板１６を表示面１１ｃ側とその反対側とから挟み込む形で保持する一対の保持部であるフレーム１３及びシャーシ１４を有し、これら一対の保持部であるフレーム１３及びシャーシ１４の間にＬＥＤ１７を収容してなる保持部材ＨＭと、一対の保持部であるフレーム１３及びシャーシ１４における液晶パネル１１を取り囲む外周側部分に取り付けられることで一対の保持部であるフレーム１３及びシャーシ１４を組み付け状態に固定するネジ部材（固定部材）ＳＭと、一対の保持部であるフレーム１３及びシャーシ１４のうちの一方の保持部であるフレーム１３に設けられて他方の保持部であるシャーシ１４を挟んだ状態でネジ部材ＳＭが取り付けられるネジ取付部２１であって、一方の保持部であるフレーム１３の内面から突出するとともに一方の保持部であるフレーム１３における外周側部分の辺に沿って延在する形で配されるネジ取付部（固定部材取付部）２１と、を備える。
【００７０】
このようにすれば、ＬＥＤ１７から発せられた光は、対向状をなす導光板１６の端面に入射してから液晶パネル１１へ導かれるので、その光を利用して液晶パネル１１に画像が表示される。液晶パネル１１及び導光板１６は、互いに重なるように配された状態で保持部材ＨＭが有する一対の保持部であるフレーム１３及びシャーシ１４によって表示面１１ｃ側とその反対側とから挟み込まれる形で保持されており、従来のように液晶パネルと導光板との間にパネル受け部材が介在する構成となっていない。従って、パネル受け部材が存在しない分だけ全体の強度が低くなっているのに加え、パネル受け部材によって一定に維持されていた液晶パネルと導光板１６との重なり方向についての位置関係が不安定なものとなるため、それにより表示品位に悪影響が及ぶことが懸念される。その点、上記した構成によれば、他方の保持部であるシャーシ１４を挟んだ状態でネジ部材ＳＭが取り付けられるネジ取付部２１は、一方の保持部であるフレーム１３の内面から突出するとともに一方の保持部であるフレーム１３における外周側部分の辺に沿って延在する形で配されているから、一方の保持部であるフレーム１３における強度を向上させることができ、全体の強度を高めることができる。これにより、一方の保持部であるフレーム１３に歪みなどが生じ難くなるので、他方の保持部であるシャーシ１４との間で挟み込まれる液晶パネル１１及び導光板１６に付与される保持力が向上し、液晶パネル１１及び導光板１６の位置関係を安定したものとすることができ、もって表示品位を高いものとすることができる。このように本実施形態によれば、強度を向上させるとともに表示品位を高めることができる。
【００７１】
また、ネジ部材ＳＭは、一対の保持部であるフレーム１３及びシャーシ１４における外周側部分に対して液晶パネル１１と導光板１６との重なり方向に沿って取り付けられている。このようにすれば、ネジ部材ＳＭにより一対の保持部であるフレーム１３及びシャーシ１４を介して液晶パネル１１及び導光板１６に対してその重なり方向から保持力を付与することができるから、液晶パネル１１と導光板１６との重なり方向についての位置関係をより安定したものとすることができ、もって表示品位をより良好なものとすることができる。
【００７２】
また、一方の保持部であるフレーム１３は、液晶パネル１１に対して表示面１１ｃ側に、他方の保持部であるシャーシ１４は、導光板１６に対して表示面１１ｃ側とは反対側にそれぞれ配されており、ネジ部材ＳＭは、一対の保持部であるフレーム１３及びシャーシ１４における外周側部分に対して表示面１１ｃ側とは反対側から取り付けられている。このようにすれば、表示面１１ｃ側に配される一方の保持部であるフレーム１３に対して液晶パネル１１、導光板１６、表示面１１ｃ側とは反対側に配される他方の保持部であるシャーシ１４の順で組み付けてから、ネジ部材ＳＭを表示面１１ｃ側とは反対側からネジ取付部２１に対して取り付ける、といった手順での製造が可能となるから、組付作業性及び生産性に優れる。
【００７３】
また、一対の保持部であるフレーム１３及びシャーシ１４は、当該液晶表示装置１０の外観を構成する外観部材とされる。このように、一対の保持部であるフレーム１３及びシャーシ１４を外観部材とすると、仮に外観部材として一対の保持部であるフレーム１３及びシャーシ１４とは別途にキャビネットを用意した場合に比べると、キャビネットを有さない分だけより高い強度が必要とされるものの、ネジ取付部２１によって一方の保持部であるフレーム１３の強度を高めることで十分に対応することができる。しかも、上記のようなキャビネットを有さないことで、当該液晶表示装置１０に係る製造コストの削減及び薄型化を図ることができる。
【００７４】
また、一方の保持部であるフレーム１３は、液晶パネル１１を表示面１１ｃ側から押さえるパネル押さえ部１３ａと、パネル押さえ部１３ａにおける外周側部分から表示面１１ｃ側とは反対側に向けて突出する側壁部１３ｂとを有しており、ネジ取付部２１には、ＬＥＤ１７が取り付けられるとともに、パネル押さえ部１３ａとの間に隙間を有する形で側壁部１３ｂが連ねられている。このようにすれば、ＬＥＤ１７が点灯に伴って発熱したとき、その熱は、ＬＥＤ１７が取り付けられたネジ取付部２１を介してネジ取付部２１に連なる側壁部１３ｂへと伝達されることで放熱が図られる。このとき、ネジ取付部２１とパネル押さえ部１３ａとの間には隙間が有されているので、パネル押さえ部１３ａへの伝熱が抑制されている。このパネル押さえ部１３ａは、液晶パネル１１を表示面１１ｃ側から押さえつつも外観部材であるために外部に露出しているため、外部の物体が接触され易くなっているものの、上記のようにその温度上昇が抑制されることで、外部の物体が接触した場合にその物体に熱による悪影響が及ぶのを効果的に防ぐことができる。
【００７５】
また、ネジ取付部２１は、側壁部１３ｂの内面から内向きに突出するとともに側壁部１３ｂの内面との間に隙間を有しており、他方の保持部であるシャーシ１４には、ネジ取付部２１と側壁部１３ｂの内面との間の隙間に挿入される側板部（位置決め部）１４ｂ２が設けられている。このようにすれば、他方の保持部であるシャーシ１４を組み付ける際に、ネジ取付部２１と側壁部１３ｂとの間の隙間に側板部１４ｂ２を挿入することで、他方の保持部であるシャーシ１４を一方の保持部であるフレーム１３に対して位置決めすることができ、もって組付作業性に優れる。
【００７６】
また、ＬＥＤ１７が取り付けられるＬＥＤ取付部（光源取付部）１９ａと、ＬＥＤ取付部１９ａから他方の保持部であるシャーシ１４における外周側部分の面に沿って延在するとともに他方の保持部であるシャーシ１４における外周側部分とネジ取付部２１との間に挟み込まれた状態でネジ部材ＳＭによって固定される放熱部１９ｂとを有する放熱部材（光源取付部材）１９が備えられている。このようにすれば、ＬＥＤ１７は、放熱部材１９を介してネジ取付部２１に取り付けられている。点灯に伴って生じるＬＥＤ１７からの熱は、ＬＥＤ１７が取り付けられたＬＥＤ取付部１９ａから放熱部１９ｂを介してネジ取付部２１に連なる側壁部１３ｂに加えて、他方の保持部であるシャーシ１４における外周側部分にも伝達されることで放熱が図られるので、パネル押さえ部１３ａへの伝熱を一層抑制することができる。
【００７７】
また、一方の保持部であるフレーム１３は、液晶パネル１１に対して表示面１１ｃ側に、他方の保持部であるシャーシ１４は、導光板１６に対して表示面１１ｃ側とは反対側にそれぞれ配されており、ネジ部材ＳＭは、一対の保持部であるフレーム１３及びシャーシ１４における外周側部分に対して表示面１１ｃ側とは反対側から取り付けられている。このようにすれば、外観上、ネジ部材ＳＭが表示面１１ｃ側からは視認され難くなり、それにより当該液晶表示装置１０における外観を良好なものとすることができる。しかも、表示面１１ｃ側に配される一方の保持部であるフレーム１３に対して液晶パネル１１、導光板１６、表示面１１ｃ側とは反対側に配される他方の保持部であるシャーシ１４の順で組み付けてから、ネジ部材ＳＭを表示面１１ｃ側とは反対側からネジ取付部２１に対して取り付ける、といった手順での製造が可能となるから、組付作業性及び生産性に優れる。
【００７８】
また、ネジ取付部２１は、一方の保持部であるフレーム１３における外周側部分の辺に沿ってその全長にわたって延在しつつその内面に連なる形で形成されている。このようにすれば、一方の保持部であるフレーム１３における強度をより向上させることができる。
【００７９】
また、一方の保持部であるフレーム１３は、液晶パネル１１に対して表示面１１ｃ側に配されるとともに液晶パネル１１を取り囲むよう枠状をなすとともに、その各辺毎に分割された複数の分割フレーム（分割保持部）１３Ｓを組み付けてなるものとされており、複数の分割フレーム１３Ｓには、ネジ取付部２１がそれぞれ設けられるとともに隣り合うネジ取付部２１同士が当接されている。このようにすれば、枠状をなす一方の保持部であるフレーム１３を、各辺毎に複数の分割フレーム１３Ｓに分割し、各分割フレーム１３Ｓにネジ取付部２１をそれぞれ設けるようにしているから、複雑な形状となる一方の保持部であるフレーム１３を容易に製造することができる。しかも、隣り合うネジ取付部２１同士が当接されることで、一方の保持部であるフレーム１３の強度をより向上させることができる。
【００８０】
また、ＬＥＤ１７が取り付けられる放熱部材１９を備えており、ネジ取付部２１には、他方の保持部であるシャーシ１４における外周側部分と放熱部材１９とを挟み込んだ状態でネジ部材ＳＭが取り付けられている。このようにすれば、ネジ部材ＳＭによって一対の保持部であるフレーム１３及びシャーシ１４を組み付け状態に固定するとともに放熱部材１９をも固定することができる。
【００８１】
また、放熱部材１９は、他方の保持部であるシャーシ１４における外周側部分の面に沿って延在するとともに他方の保持部であるシャーシ１４における外周側部分とネジ取付部２１との間に挟み込まれた状態でネジ部材ＳＭによって固定される放熱部１９ｂと、放熱部１９ｂから液晶パネル１１と導光板１６との重なり方向に沿って立ち上がるとともにＬＥＤ１７が取り付けられるＬＥＤ取付部１９ａとを有しており、ＬＥＤ取付部１９ａは、一対の保持部であるフレーム１３及びシャーシ１４における外周側部分の、互いに対向する内面に対してそれぞれ当接されている。このようにすれば、放熱部材１９におけるＬＥＤ取付部１９ａが、一対の保持部であるフレーム１３及びシャーシ１４における外周側部分の、互いに対向する内面に対してそれぞれ当接されることで、一対の保持部であるフレーム１３及びシャーシ１４の強度をより向上させることができる。また、ＬＥＤ１７が点灯に伴って発熱したとき、その熱は、主にＬＥＤ取付部１９ａ及び放熱部１９ｂを介して他方の保持部であるシャーシ１４とネジ取付部２１とに伝達されることで放熱が図られる。
【００８２】
また、液晶パネル１１の端部に接続されるフレキシブル基板２６と、フレキシブル基板２６における液晶パネル１１側とは反対側に端部に接続されるプリント基板２７とが備えられており、放熱部材１９は、他方の保持部であるシャーシ１４における外周側部分の面に沿って延在するとともに他方の保持部であるシャーシ１４における外周側部分とネジ取付部２１との間に挟み込まれた状態でネジ部材ＳＭによって固定される放熱部１９ｂと、放熱部１９ｂから液晶パネル１１と導光板１６との重なり方向に沿って立ち上がるとともにＬＥＤ１７が取り付けられるＬＥＤ取付部１９ａとを有しており、ＬＥＤ取付部１９ａは、ネジ取付部２１との間にプリント基板２７を収容可能な基板収容空間ＢＳを有する形で配されている。このようにすれば、フレキシブル基板２６に接続されたプリント基板２７を、ＬＥＤ取付部１９ａとネジ取付部２１との間に有される基板収容空間ＢＳ内に収容することができる。また、ＬＥＤ１７が点灯に伴って発熱したとき、その熱は、主にＬＥＤ取付部１９ａ及び放熱部１９ｂを介して他方の保持部であるシャーシ１４とネジ取付部２１とに伝達されることで放熱が図られる。
【００８３】
また、一対の保持部であるフレーム１３及びシャーシ１４のうち、表示面１１ｃ側に配される保持部には、導光板１６における表示面１１ｃ側の面に当接される導光板支持部２３が設けられている。このようにすれば、導光板１６を導光板支持部２３によって液晶パネル１１側から支持することで、導光板１６をより安定的に保持することができ、ＬＥＤ１７に対する位置関係を安定化させることができる。
【００８４】
＜実施形態２＞
本発明の実施形態２を図１３によって説明する。この実施形態２では、ネジ取付部１２１が側壁部１１３ｂに対して隙間を有することなく連ねられた構成としたものを示す。なお、上記した実施形態１と同様の構造、作用及び効果について重複する説明は省略する。
【００８５】
本実施形態に係るネジ取付部１２１は、図１３に示すように、その外側を向いた側面が、フレーム１１３の側壁部１１３ｂの内面に対して全域にわたって連ねられており、上記した実施形態１に記載したような隙間を有することがないものとされる。つまり、ネジ取付部１２１は、側壁部１１３ｂの内面からＸ軸方向またはＹ軸方向（液晶パネル１１１と導光板１１６との重なり方向と直交する方向）に沿って内向きに突出する形態とされており、その全高さ領域にわたって側壁部１１３ｂに連ねられている。このような構成によれば、側壁部１１３ｂの機械的強度を一層高いものとすることができる。なお、上記した構成に伴い、シャーシ１１４の各ＬＥＤ収容部１１４ｂには、その内端部にのみ底板部１１４ａに連なる側板部１１４ｂ２が形成されており、上記した実施形態１に記載したような外端部の側板部１４ｂ２（図６を参照）を有していない。
【００８６】
＜実施形態３＞
本発明の実施形態３を図１４または図１５によって説明する。この実施形態３では、上記した実施形態１から対をなすＬＥＤユニットＬＵの配置を変更したものを示す。なお、上記した実施形態１と同様の構造、作用及び効果について重複する説明は省略する。
【００８７】
本実施形態に係るＬＥＤユニットＬＵは、図１４に示すように、導光板２１６を長辺方向（Ｘ軸方向）について両側から挟み込む位置に対をなす形で、液晶表示装置２１０における両短辺側に配されている。ＬＥＤユニットＬＵを構成するＬＥＤ基板２１８及び放熱部材２１９は、それぞれ導光板２１６の短辺方向に沿って延在する形態とされ、ＬＥＤ基板２１８には、その長さ方向（Ｙ軸方向）に沿って複数のＬＥＤ２１７が間欠的に並列配置されている。各ＬＥＤユニットＬＵは、フレーム２１３における短辺側に配された各ネジ取付部２２１に対してネジ部材ＳＭによって取り付けられている。これに対して、導光板２１６の外周端面のうち、短辺側の両端面がそれぞれＬＥＤユニットＬＵが有する各ＬＥＤ２１７と対向状をなす光入射面２１６ｂとされる。シャーシ２１４のうち、短辺側の両端部に各ＬＥＤユニットＬＵを収容するための一対のＬＥＤ収容部２１４ｂが形成されている。ＬＥＤ収容部２１４ｂにおける外側の側板部２１４ｂ２は、ＬＥＤユニットＬＵが取り付けられる短辺側のネジ取付部２２１とフレーム２１３の短辺側の側壁部２１３ｂとの間に有される隙間に挿入されている。
【００８８】
各ＬＥＤユニットＬＵは、図１４及び図１５に示すように、液晶表示装置２１０における両短辺側に配される配置構成であるから、平面に視て液晶パネル２１１に接続されたフレキシブル基板２２６とは重畳しない位置関係にある。このため、各ＬＥＤユニットＬＵを構成する放熱部材２１９は、ＬＥＤ取付部２１９ａがネジ取付部２２１に対して当接する形で取り付けられており、上記した実施形態１に記載したような隙間（基板収容空間ＢＳ）を有していない。また、フレキシブル基板２２６に接続されたプリント基板２２７は、図１５に示すように、長辺側のネジ取付部２２１における内側の側面に当接した状態で取り付けられている。これにより、当該液晶表示装置２１０の一層の狭額縁化を図ることが可能とされる。しかも、上記した位置関係に基づき、各ＬＥＤユニットＬＵを構成する放熱部材２１９には、上記した実施形態１に記載したフレキシブル基板挿通溝部１９ａ１（図６を参照）が形成されていない。これにより、各ＬＥＤユニットＬＵを構成する放熱部材２１９を全て同一部品（共通部品）とすることができ、放熱部材２１９に係る製造コストの低廉化を図ることができる。
【００８９】
＜実施形態４＞
本発明の実施形態４を図１６によって説明する。この実施形態４では、ネジ取付部３２１がフレーム３１３のうちパネル押さえ部３１３ａに連ねられた構成のものを示す。なお、上記した実施形態１と同様の構造、作用及び効果について重複する説明は省略する。
【００９０】
本実施形態に係るネジ取付部３２１は、図１６に示すように、フレーム３１３を構成するパネル押さえ部３１３ａの外周側部分、詳しくは側壁部３１３ｂよりも内寄り（導光板３１６寄り）の位置に連なる形で一体形成されている。ネジ取付部３２１は、パネル押さえ部３１３ａの内面からＺ軸方向（液晶パネル３１１と導光板３１６との重なり方向）に沿って裏側に向けて突出するとともに、パネル押さえ部３１３ａの各辺に沿って延在しその全長にわたる細長い略ブロック状をなしている。ネジ取付部３２１は、フレーム３１３を構成する各分割フレーム３１３Ｓにそれぞれ分けて設けられており、各分割フレーム３１３Ｓが組み付けられると、全体としてパネル押さえ部３１３ａの内面に対して全周にわたって連なる枠状をなすものとされる。このような構成によれば、ネジ取付部３２１によってフレーム３１３におけるパネル押さえ部３１３ａの機械的強度を直接的に向上させることができるので、シャーシ３１４との間で挟み込む液晶パネル３１１及び導光板３１６に付与する保持力をより高いものとすることができる。なお、ＬＥＤ３１７からの熱は、ネジ取付部３２１を介して主にシャーシ３１４及びフレーム３１３のパネル押さえ部３１３ａへと伝達されて外部へと放散される。
【００９１】
＜実施形態５＞
本発明の実施形態５を図１７によって説明する。この実施形態５では、ネジ取付部４２１がフレーム４１３におけるパネル押さえ部４１３ａ及び側壁部４１３ｂの双方に連ねられた構成のものを示す。なお、上記した実施形態１と同様の構造、作用及び効果について重複する説明は省略する。
【００９２】
本実施形態に係るネジ取付部４２１は、図１７に示すように、フレーム４１３を構成するパネル押さえ部４１３ａの外周側部分の内面と、側壁部４１３ｂの内面との双方に対して連なる形で一体形成されている。ネジ取付部４２１は、その表側を向いた面がパネル押さえ部４１３ａの内面に、外側（導光体４１６側とは反対側）を向いた側面が側壁部４１３ｂの内面にそれぞれ全域にわたって連ねられている。つまり、ネジ取付部４２１は、断面Ｌ字型をなすパネル押さえ部４１３ａと側壁部４１３ｂとの屈曲部位に跨る形で連ねられている、と言える。これにより、フレーム４１３の機械的強度を、上記した実施形態１から実施形態４のいずれとの比較においても、より高いものとすることができる。
【００９３】
＜実施形態６＞
本発明の実施形態６を図１８によって説明する。この実施形態６では、ネジ部材ＳＭの取り付け方向を変更したものを示す。なお、上記した実施形態１と同様の構造、作用及び効果について重複する説明は省略する。
【００９４】
本実施形態に係るネジ取付部５２１には、図１８に示すように、Ｘ軸方向またはＹ軸方向（液晶パネル５１１と導光板５１６との重なり方向と直交する方向）に沿って側方からネジ部材ＳＭが取り付けられている。ネジ取付部５２１には、ネジ部材ＳＭを取り付けるための溝部５２１ａがＸ軸方向またはＹ軸方向に沿って外向きに開口する形で形成されている。フレーム５１３の側壁部５１３ｂには、ネジ部材ＳＭを通すためのネジ挿通孔２８が開口形成されている。シャーシ５１４を構成するＬＥＤ収容部５１４ｂにおける外側の側板部５１４ｂ２には、上記したネジ挿通孔２８及び溝部５２１ａに連通するネジ挿通孔５２５が開口形成されている。ＬＥＤユニットＬＵを構成する放熱部材５１９には、放熱部５１９ｂにおける外側（ＬＥＤ取付部５１９ａ側とは反対側）の端部からネジ取付部５２１の側面に沿って立ち上がる側板部２９が形成されており、この側板部２９に上記した各ネジ挿通孔２８，５２５及び溝部５２１ａに連通するネジ挿通孔２９ａが開口形成されている。ネジ部材ＳＭは、側壁部５１３ｂの側方外部から各ネジ挿通孔２８，２９ａ，５２５に通されるとともにネジ取付部５２１の溝部５２１ａに対して締め付けられるものとされる。
【００９５】
＜他の実施形態＞
本発明は上記記述及び図面によって説明した実施形態に限定されるものではなく、例えば次のような実施形態も本発明の技術的範囲に含まれる。
（１）上記した各実施形態では、ネジ取付部がその延在方向について全長にわたってフレームの内面に連ねられる形態としたものを示したが、ネジ取付部がその延在方向について部分的にフレームの内面に連ねられる形態としたものも本発明に含まれる。
【００９６】
（２）上記した各実施形態では、ネジ取付部がフレームの各辺の全長にわたる長さを有するものを示したが、ネジ取付部の長さ寸法がフレームの各辺の長さ寸法よりも短い設定としたものも本発明に含まれる。その場合、フレームにおける１つの辺に対してネジ取付部を複数設けるようにしても構わない。
【００９７】
（３）上記した各実施形態では、フレームにおける全ての辺にそれぞれネジ取付部が設けられるものを示したが、フレームにおける特定の辺にのみネジ取付部が設けられ、それ以外の辺にはネジ取付部が設けられない構成としたものも本発明に含まれる。その場合、フレームのうちＬＥＤユニットと平面視重畳する辺にのみネジ取付部を設けるようにしたり、逆にＬＥＤユニットとは平面視非重畳となる辺にのみネジ取付部を設けるようにしても構わない。なお、後者を採用した場合、ＬＥＤユニットを取り付けるための取付構造が別途に必要となる。
【００９８】
（４）上記した実施形態４の変形例として、パネル押さえ部の内面に、上記した実施形態１に記載したものを同様の突部を設けるようにし、その突部に対してネジ取付部における表側の面（パネル押さえ部との対向面）の一部のみがに連なる形態としたものも本発明に含まれる。このような構成は、上記した実施形態５に記載した構成（ネジ取付部がパネル押さえ部と側壁部との双方に連なる構成）などにも同様に適用可能である。
【００９９】
（５）上記した各実施形態では、ＬＥＤユニットが取り付けられるネジ取付部と側壁部との間に、シャーシの側板部が挿入される隙間を確保する構成のものを示したが、全てのネジ取付部と側壁部との間に隙間を確保し、その隙間にそれぞれ挿入されるよう、シャーシの各外端部に側板部を設けるようにしても構わない。このようにすれば、フレームに対してシャーシをＸ軸方向及びＹ軸方向について位置決めすることができる。
【０１００】
（６）上記した各実施形態では、ＬＥＤユニットに放熱部材が含まれる構成のものを示したが、放熱部材を省略し、ＬＥＤ基板をシャーシまたはフレーム（ネジ取付部）に対して直接取り付けるようにしたものも本発明に含まれる。その場合、例えばＬＥＤ基板を、上記した放熱部材と同様に断面略Ｌ字型とし、ＬＥＤが実装されるＬＥＤ実装部と、シャーシの板面に面接触される放熱部とから構成するようにすることが可能である。
【０１０１】
（７）上記した（６）に記載した放熱部材を省略する構成を、上記した実施形態３に適用するに際しては、ＬＥＤ基板をＬＥＤ実装部のみからなる構成とし、ＬＥＤ実装部をネジ取付部の側面に対して直接取り付ける構造を採ることも可能である。
【０１０２】
（８）上記した各実施形態では、ネジ取付部をフレームに一体形成したものを示したが、ネジ取付部がフレームとは別部品とされ、フレームに取り付けられる構成としたものも本発明に含まれる。その場合、ネジ取付部をフレームと同様に金属製としたり、或いはネジ取付部をフレームとは異なる合成樹脂製とすることも可能である。
【０１０３】
（９）上記した各実施形態以外にも、フレームにおける各分割フレームの連結位置及び連結部位の形状などは適宜に変更可能である。例えば、各分割フレームの連結部位の形状を、Ｘ軸方向に沿う直線形状としたり、Ｙ軸方向に沿う直線形状とすることも可能である。
【０１０４】
（１０）上記した各実施形態では、フレームが複数の分割フレームからなる構成としたものを示したが、フレームを一部品構成とすることも可能である。その場合、金属製のフレームを製造するに際しては、平板状の板材に曲げ加工、叩き加工、絞り加工などを施すことで所望の形状に成形するのが好ましい。
【０１０５】
（１１）上記した各実施形態では、ＬＥＤユニットをなす放熱部材のＬＥＤ取付部がパネル押さえ部の内面に当接する構成のものを示したが、ＬＥＤ取付部がパネル押さえ部の内面に当接せず、同内面との間に隙間を有する配置構成としたものも本発明に含まれる。
【０１０６】
（１２）上記した各実施形態では、ネジ部材がＺ軸方向に沿ってシャーシの裏側から取り付けられるものや、ネジ部材がＸ軸方向またはＹ軸方向に沿ってフレームの側方から取り付けられるものを示したが、ネジ部材がＺ軸方向に沿ってフレームの表側から取り付けられる構成としたものも本発明に含まれる。その場合、ネジ取付部をシャーシ側に設けるようにするのが好ましい。
【０１０７】
（１３）上記した各実施形態では、シャーシの端部にＬＥＤ収容部が段差状に突出する形態で設けられたものを示したが、シャーシが段差を有さない構成とし、底板部の端部によってＬＥＤユニットを受ける構成としたものも本発明に含まれる。
【０１０８】
（１４）上記した各実施形態では、ネジ部材によってシャーシと放熱部材とを突出部に対して共締めする構成のものを示したが、シャーシをネジ取付部に対して固定するネジ部材と、放熱部材をネジ取付部に対して固定するネジ部材とを別途に用意したものも本発明に含まれる。
【０１０９】
（１５）上記した各実施形態以外にも、ＬＥＤユニット（ＬＥＤ基板、放熱部材）の配置は適宜に変更可能である。例えば、ＬＥＤユニットを導光板における一方の長辺または一方の短辺の端部に対してのみ対向するよう配したものや、ＬＥＤユニットを導光板における任意の３辺の各端部に対してそれぞれ対向するよう配したものや、ＬＥＤユニットを導光板における４辺全てに対してそれぞれ対向するよう配したものも本発明に含まれる。
【０１１０】
（１６）上記した各実施形態では、ＬＥＤユニット（ＬＥＤ基板、放熱部材）が導光板における１辺に対して２つ配置されるものを示したが、ＬＥＤユニットを導光板における１辺に対して１つまたは３つ以上配置するようにしてもよい。
【０１１１】
（１７）上記した各実施形態では、フレーム及びシャーシが共に液晶表示装置の外観を構成する外観部材とされるものを示したが、例えばシャーシについてはその裏面側に別途に用意した外観部品を装着して覆うようにすることで、シャーシが外部に露出しないようにしたものも本発明に含まれる。それ以外にも、フレーム及びシャーシを、別途に用意した外観部品によって共に覆うようにすることで、フレーム及びシャーシが外部に露出しないようにしたものも本発明に含まれる。
【０１１２】
（１８）上記した各実施形態では、外観部材を構成するシャーシ及びフレームが金属製とされるものを示したが、シャーシとフレームとのいずれか一方または双方を合成樹脂製としたものも本発明に含まれる。この構成は、液晶表示装置に要求される機械的強度がそれほど高くない中小型の機種に採用するのが好ましい。また、フレームを合成樹脂製とする技術事項は、上記した（１０）に記載したようにフレームを一部品構成とする構成と組み合わせるのが製造上好ましい。
【０１１３】
（１９）上記した各実施形態では、フレキシブル基板が液晶パネルにおける一方の長辺側端部にのみ接続される構成のものを示したが、フレキシブル基板が液晶パネルにおける両長辺側端部にそれぞれ接続される構成のものにも本発明は適用可能である。
【０１１４】
（２０）上記した（１９）以外にも、フレキシブル基板が液晶パネルにおける一方の短辺側端部にのみ接続される構成のものや、フレキシブル基板が液晶パネルにおける両短辺側端部にそれぞれ接続される構成のものや、フレキシブル基板が液晶パネルにおける任意の３辺の各端部にそれぞれ接続される構成のものや、フレキシブル基板が液晶パネルにおける４辺の各端部にそれぞれ接続される構成のものにも本発明は適用可能である。
【０１１５】
（２１）上記した各実施形態では、電源基板にＬＥＤへの電力を供給する機能を持たせたものを示したが、ＬＥＤへ電力を供給するＬＥＤ駆動基板を電源基板から独立させるようにしたものも本発明に含まれる。
【０１１６】
（２２）上記した各実施形態では、メイン基板にチューナー部を設けるようにしたものを示したが、チューナー部を有するチューナー基板をメイン基板から独立させるようにしたものも本発明に含まれる。
【０１１７】
（２３）上記した各実施形態では、液晶パネルが有するカラーフィルタの着色部をＲ，Ｇ，Ｂの３色としたものを例示したが、着色部を４色以上とすることも可能である。
【０１１８】
（２４）上記した各実施形態では、光源としてＬＥＤを用いたものを示したが、有機ＥＬなどの他の光源を用いることも可能である。
【０１１９】
（２５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１２０】
（２６）上記した各実施形態では、表示パネルとして液晶パネルを用いた液晶表示装置を例示したが、他の種類の表示パネルを用いた表示装置にも本発明は適用可能である。
【０１２１】
（２７）上記した各実施形態では、チューナー部を備えたテレビ受信装置を例示したが、チューナー部を備えない表示装置にも本発明は適用可能である。
【符号の説明】
【０１２２】
１０，２１０…液晶表示装置（表示装置）、１１，１１１，２１１，３１１，５１１…液晶パネル（表示パネル）、１１ｃ…表示面、１２…バックライト装置（照明装置）、１３，１１３，２１３，３１３，４１３，５１３…フレーム（一対の保持部、一方の保持部、表示面側に配される保持部）、１３ａ，３１３ａ，４１３ａ…パネル押さえ部、１３ｂ，１１３ｂ，２１３ｂ，３１３ｂ，４１３ｂ，５１３ｂ…側壁部（外周側部分）、１３Ｓ…分割フレーム（分割保持部）、１４，１１４，２１４，３１４，５１４…シャーシ（一対の保持部、他方の保持部）、１４ａ１…ネジ装着部（外周側部分）、１４ｂ１…ネジ装着部（外周側部分）、１４ｂ２，２１４ｂ２…側板部（位置決め部）、１６，１１６，２１６，３１６，４１６，５１６…導光板、１７，２１７，３１７…ＬＥＤ（光源）、１９，２１９，５１９…放熱部材（光源取付部材）、１９ａ，２１９ａ，５１９ａ…ＬＥＤ取付部（光源取付部）、１９ｂ，５１９ｂ…放熱部、２１，１２１，２２１，３２１，４２１，５２１…ネジ取付部（固定部材取付部）、２３…導光体支持部、２６，２２６…フレキシブル基板、２７，２２７…プリント基板、ＢＳ…基板収容空間、ＳＭ…ネジ部材（固定部材）、ＨＭ…保持部材、ＴＶ…テレビ受信装置
【図１】
2013047366.tif 000003
【図２】
2013047366.tif 000004
【図３】
2013047366.tif 000005
【図４】
2013047366.tif 000006
【図５】
2013047366.tif 000007
【図６】
2013047366.tif 000008
【図７】
2013047366.tif 000009
【図８】
2013047366.tif 000010
【図９】
2013047366.tif 000011
【図１０】
2013047366.tif 000012
【図１１】
2013047366.tif 000013
【図１２】
2013047366.tif 000014
【図１３】
2013047366.tif 000015
【図１４】
2013047366.tif 000016
【図１５】
2013047366.tif 000017
【図１６】
2013047366.tif 000018
【図１７】
2013047366.tif 000019
【図１８】
2013047366.tif 000020
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
光源と、
前記光源の光を利用して表示を行う表示パネルと、
前記表示パネルに対してその表示面側とは反対側に重なるように配されるとともに端面が前記光源と対向状に配される導光板と、
前記表示パネル及び前記導光板を前記表示面側とその反対側とから挟み込む形で保持する一対の保持部を有し、これら前記一対の保持部の間に前記光源を収容してなる保持部材と、
前記一対の保持部における前記表示パネルを取り囲む外周側部分に取り付けられることで前記一対の保持部を組み付け状態に固定する固定部材と、
前記一対の保持部のうちの一方の保持部に設けられて他方の保持部を挟んだ状態で前記固定部材が取り付けられる固定部材取付部であって、前記一方の保持部のうち前記光源側を向く面である内面から前記光源側に向かって突出するとともに前記一方の保持部における前記外周側部分の辺に沿って延在する形で配される固定部材取付部と、を備える表示装置。
【請求項２】
前記固定部材は、前記一対の保持部における前記外周側部分に対して前記表示パネルと前記導光板との重なり方向に沿って取り付けられている請求項１記載の表示装置。
【請求項３】
前記一方の保持部は、前記表示パネルに対して前記表示面側に、前記他方の保持部は、前記導光板に対して前記表示面側とは反対側にそれぞれ配されており、
前記固定部材は、前記一対の保持部における前記外周側部分に対して前記表示面側とは反対側から取り付けられている請求項２記載の表示装置。
【請求項４】
前記一対の保持部は、当該表示装置の外観を構成する外観部材とされる請求項１から請求項３のいずれか１項に記載の表示装置。
【請求項５】
前記一方の保持部は、前記表示パネルを前記表示面側から押さえるパネル押さえ部と、前記パネル押さえ部における前記外周側部分から前記表示面側とは反対側に向けて突出する側壁部とを有しており、
前記固定部材取付部には、前記光源が取り付けられるとともに、前記パネル押さえ部との間に隙間を有する形で前記側壁部が連ねられている請求項４記載の表示装置。
【請求項６】
前記固定部材取付部は、前記側壁部のうち前記光源側を向く面である内面から前記光源側に向かって内向きに突出するとともに、その突出先から前記側壁部の内面との間に隙間を有する形で前記他方の保持部側に延出しており、
前記他方の保持部には、前記固定部材取付部と前記側壁部の内面との間の隙間に挿入される位置決め部が設けられている請求項５記載の表示装置。
【請求項７】
前記光源が取り付けられる光源取付部と、前記光源取付部から前記他方の保持部における前記外周側部分の面に沿って延在するとともに前記他方の保持部における前記外周側部分と前記固定部材取付部との間に挟み込まれた状態で前記固定部材によって固定される放熱部とを有する光源取付部材が備えられている請求項５または請求項６記載の表示装置。
【請求項８】
前記一方の保持部は、前記表示パネルに対して前記表示面側に、前記他方の保持部は、前記導光板に対して前記表示面側とは反対側にそれぞれ配されており、
前記固定部材は、前記一対の保持部における前記外周側部分に対して前記表示面側とは反対側から取り付けられている請求項４から請求項７のいずれか１項に記載の表示装置。
【請求項９】
前記固定部材取付部は、前記一方の保持部における前記外周側部分の辺に沿ってその全長にわたって延在しつつその内面に連なる形で形成されている請求項１から請求項８のいずれか１項に記載の表示装置。
【請求項１０】
前記一方の保持部は、前記表示パネルに対して前記表示面側に配されるとともに前記表示パネルを取り囲むよう枠状をなすとともに、その各辺毎に分割された複数の分割保持部を組み付けてなるものとされており、
前記複数の分割保持部には、前記固定部材取付部がそれぞれ設けられるとともに隣り合う前記固定部材取付部同士が当接されている請求項９記載の表示装置。
【請求項１１】
前記光源が取り付けられる光源取付部材を備えており、
前記固定部材取付部には、前記他方の保持部における前記外周側部分と前記光源取付部材とを挟み込んだ状態で前記固定部材が取り付けられている請求項１から請求項１０のいずれか１項に記載の表示装置。
【請求項１２】
前記光源取付部材は、前記他方の保持部における前記外周側部分の面に沿って延在するとともに前記他方の保持部における前記外周側部分と前記固定部材取付部との間に挟み込まれた状態で前記固定部材によって固定される放熱部と、前記放熱部から前記表示パネルと前記導光板との重なり方向に沿って立ち上がるとともに前記光源が取り付けられる光源取付部とを有しており、
前記光源取付部は、前記一対の保持部における前記外周側部分の、前記表示パネル及び前記導光板を挟むようにして互いに対向する内面に対してそれぞれ当接されている請求項１１記載の表示装置。
【請求項１３】
前記表示パネルの端部に接続されるフレキシブル基板と、前記フレキシブル基板における前記表示パネル側とは反対側に端部に接続されるプリント基板とが備えられており、
前記光源取付部材は、前記他方の保持部における前記外周側部分の面に沿って延在するとともに前記他方の保持部における前記外周側部分と前記固定部材取付部との間に挟み込まれた状態で前記固定部材によって固定される放熱部と、前記放熱部から前記表示パネルと前記導光板との重なり方向に沿って立ち上がるとともに前記光源が取り付けられる光源取付部とを有しており、
前記光源取付部は、前記固定部材取付部との間に前記プリント基板を収容可能な基板収容空間を有する形で配されている請求項１１または請求項１２記載の表示装置。
【請求項１４】
前記一対の保持部のうち、前記表示面側に配される保持部には、前記導光板における前記表示面側の面に当接される導光板支持部が設けられている請求項１から請求項１３のいずれか１項に記載の表示装置。
【請求項１５】
請求項１から請求項１４のいずれか１項に記載された表示装置を備えるテレビ受信装置。
【国際調査報告】
2013047366.tif 000021
2013047366.tif 000022
2013047366.tif 000023
2013047366.tif 000024
2013047366.tif 000025
2013047366.tif 000026
2013047366.tif 000027
2013047366.tif 000028